(57)【要約】【課題】通信品質の劣化を軽減することができる携帯通信端末を提供する。【解決手段】  携帯通信端末２００ａは、複数のアンテナにより受信した信号間の相関を示す相関値により受信品質の劣化を判断する判断部２０２ｍ、無線基地局１００から、携帯通信端末２００ａが割り当てられたチャネルと同一のチャネルに割り当てられた他の携帯通信端末の存在の有無を示す通知を受信する受信回路２０５、受信品質が劣化していると判断され、前記通知が他の携帯通信端末が存在することを示す場合に、各アンテナ経路のインピーダンスの変更を抑止する抑止制御部２０２ｐ、受信品質が劣化していると判断され、前記通知が他の携帯通信端末が存在しないことを示す場合に、各アンテナ経路のインピーダンスを変更する調整回路２０９ａ、２０９ｂを備える。【選択図】図１０
2014160895.tif 000002
【特許請求の範囲】
【請求項１】
複数のアンテナを備える無線基地局との間で、複数のアンテナを用いて通信を行う携帯通信端末であって、
前記複数のアンテナにより受信した信号間の相関を示す相関値により受信品質の劣化を判断する判断部と、
前記無線基地局から、当該携帯通信端末が割り当てられたチャネルと同一のチャネルに割り当てられた他の携帯通信端末の存在の有無を示す通知を受信する受信部と、
受信品質が劣化していると判断され、前記通知が他の携帯通信端末が存在することを示す場合に、各アンテナ経路のインピーダンスの変更を抑止する抑止制御部と、
受信品質が劣化していると判断され、前記通知が他の携帯通信端末が存在しないことを示す場合に、各アンテナ経路のインピーダンスを変更する調整部と
を備えることを特徴とする携帯通信端末。
【請求項２】
前記携帯通信端末は、さらに、
受信品質が劣化している場合、各アンテナ経路のインピーダンスの変更を予告する予告情報を生成する生成部と、
生成した前記予告情報を送信する送信部とを含み、
前記無線基地局は、前記予告情報を受信すると、前記予告情報の送信元の携帯通信端末と同一チャネルにおいて通信している他の携帯通信端末が存在するか否かを判断し、他の携帯通信端末の存在の有無を示す前記通知を送信する
ことを特徴とする請求項１に記載の携帯通信端末。
【請求項３】
前記携帯通信端末は、さらに、
前記複数のアンテナにより受信した信号間の相関を示す前記相関値を計算する計算部を備え、
前記判断部は、計算により得られた前記相関値と閾値とを比較する比較部を含み、前記相関値が前記閾値より大きい場合、受信品質が劣化していると判断する
ことを特徴とする請求項１に記載の携帯通信端末。
【請求項４】
複数のアンテナを備える携帯通信端末との間で複数のアンテナを用いて通信を行う無線基地局であって、
携帯通信端末から、各アンテナ経路のインピーダンスの変更を予告する予告情報を受信する受信部と、
前記予告情報を受信すると、当該携帯通信端末が割り当てられたチャネルと同一チャネルに割り当てられた他の携帯通信端末が存在するか否かを判断する判断部と、
他の携帯通信端末が存在する場合、他の携帯通信端末の存在を示す通知を、前記予告情報の送信元の携帯通信端末に対して送信する送信部と
を備えることを特徴とする無線基地局。
【請求項５】
複数のアンテナを備える無線基地局との間で、複数のアンテナを用いて通信を行う携帯通信端末で用いられる制御方法であって、
前記複数のアンテナにより受信した信号間の相関を示す相関値により受信品質の劣化を判断する判断ステップと、
前記無線基地局から、当該携帯通信端末が割り当てられたチャネルと同一のチャネルに割り当てられた他の携帯通信端末の存在の有無を示す通知を受信する受信ステップと、
受信品質が劣化していると判断され、前記通知が他の携帯通信端末が存在することを示す場合に、各アンテナ経路のインピーダンスの変更を抑止する抑止制御ステップと、
受信品質が劣化していると判断され、前記通知が他の携帯通信端末が存在しないことを示す場合に、各アンテナ経路のインピーダンスを変更する調整ステップと
を含むことを特徴とする制御方法。
【請求項６】
複数のアンテナを備える携帯通信端末との間で複数のアンテナを用いて通信を行う無線基地局で用いられる制御方法であって、
携帯通信端末から、各アンテナ経路のインピーダンスの変更を予告する予告情報を受信する受信ステップと、
前記予告情報を受信すると、当該携帯通信端末が割り当てられたチャネルと同一チャネルに割り当てられた他の携帯通信端末が存在するか否かを判断する判断ステップと、
他の携帯通信端末が存在する場合、他の携帯通信端末の存在を示す通知を送信する送信ステップと
を含むことを特徴とする制御方法。
【発明の詳細な説明】
【技術分野】
【０００１】
本発明は、複数のアンテナを用いて通信を行う技術に関する。
【背景技術】
【０００２】
従来、高速の信号伝送を実現するＭＩＭＯ（Multi-Input Multi-Output）が用いられている。ＭＩＭＯによる通信では、同じ周波数帯域等を用いて、送信機の複数のアンテナから異なるデータを並列して送信して、空間的に多重化する。複数のアンテナを備える受信機は、受信した信号から、元のデータを復元する。
非特許文献１によると、ＭＩＭＯによる通信において、通信品質に関連する要因として、複数のアンテナにより受信したデータ間の相関を示す相関値が挙げられている。相関値は、受信した複数のデータがどれだけ似ているかを示す指標である。相関値が高い場合には、受信した信号から、元のデータを復元することが困難となり、高速の信号伝送を望めない。このため、相関値が低くなるように、アンテナや筐体等を設計する必要がある。
【０００３】
また、携帯通信端末では、周辺の環境変化や利用者の使用状態の変化に起因して、アンテナの入力インピーダンスが変化することが知られている。この結果、インピーダンスの不整合が生じ、通信性能が劣化する。特に、複数のアンテナを用いたＭＩＭＯによる通信の場合には、通信性能は、アンテナ特性や伝播特性に大きく依存する。
特許文献１には、ＭＩＭＯによる通信に対応可能で、上りリンクと下りリンクでの無線性能を統合的に判断してアンテナの負荷インピーダンス値を適応的に制御する携帯通信端末が開示されている。この携帯通信端末は、上りリンクの特性値及び下りリンクの特性値を変数とする評価関数を用いて評価量を算出する。ここで、特性値は、一例として、伝送容量である。次に、算出された評価量に基づいて、アンテナの負荷インピーダンス値を制御する。この技術により、周辺環境や利用者の使用状態に応じて、携帯通信端末の入力インピーダンスが変化した場合に、上りリンク及び下りリンクの性能を改善することができる。
【先行技術文献】
【特許文献】
【０００４】
【特許文献１】特開２０１１−１８８３８５号公報
【非特許文献】
【０００５】
【非特許文献１】「Agilent MIMOの基礎とMIMO受信機の性能試験 Application Note」、2012年6月13日、アジレント・テクノロジー株式会社
【発明の概要】
【発明が解決しようとする課題】
【０００６】
ここで、無線基地局と第１の携帯通信端末との間、及び、前記無線基地局と第２の携帯通信端末との間において、同一チャネルを介してＭＩＭＯによる通信を行う場合について考える。この場合、第１の携帯通信端末における受信時の相関値が高いとき、相関値が低くなるように、第１の携帯通信端末のアンテナのインピーダンスを調整すればよい。これにより、無線基地局から第１の携帯通信端末への下りリンク側の伝播路の特性が改善される。
【０００７】
この第１の携帯通信端末のアンテナのインピーダンスの調整に伴って、第１の携帯通信端末から無線基地局への上りリンク側の伝播路の特性及び第２の携帯通信端末から無線基地局への上りリンク側の伝播路の特性も変化する。しかし、上りリンク側の伝播路の特性が変化したときに、無線基地局の複数のアンテナにより受信したデータ間の相関を示す相関値が高くなるのか、低くなるのかは、不明である。相関値が低ければ、通信品質の劣化は、生じない。しかし、相関値が高ければ、通信品質が劣化しており、上りリンク側において、高速の信号伝送を実現することができないという問題がある。また、第２の携帯通信端末においては、第１の携帯通信端末におけるアンテナのインピーダンスの調整を知り得ず、第２の携帯通信端末から無線基地局への上りリンク側の品質劣化の原因を追求することが困難となる。
【０００８】
本発明は、上記の問題を解決するため、通信品質の劣化を軽減することが可能な携帯通信端末、無線基地局及び制御方法を提供することを目的とする。
【課題を解決するための手段】
【０００９】
上記目的を達成するため、本発明の一態様は、複数のアンテナを備える無線基地局との間で、複数のアンテナを用いて通信を行う携帯通信端末であって、前記複数のアンテナにより受信した信号間の相関を示す相関値により受信品質の劣化を判断する判断部と、前記無線基地局から、当該携帯通信端末が割り当てられたチャネルと同一のチャネルに割り当てられた他の携帯通信端末の存在の有無を示す通知を受信する受信部と、受信品質が劣化していると判断され、前記通知が他の携帯通信端末が存在することを示す場合に、各アンテナ経路のインピーダンスの変更を抑止する抑止制御部と、受信品質が劣化していると判断され、前記通知が他の携帯通信端末が存在しないことを示す場合に、各アンテナ経路のインピーダンスを変更する調整部とを備えることを特徴とする。
【発明の効果】
【００１０】
この態様によると、通信品質の劣化を軽減することができる。
【図面の簡単な説明】
【００１１】
【図１】本発明の一の実施の形態としての無線通信システム１０の構成を示す。
【図２】バースト信号のフォーマットの構成例を示す。
【図３】無線基地局１００の構成を示すブロック図である。
【図４】チャネル配置テーブル１４０のデータ構造の一例を示す。
【図５】チャネル配置テーブル１４０ａのデータ構造の一例を示す。
【図６】チャネル配置テーブル１４０ｂのデータ構造の一例を示す。
【図７】調整回路１０８ａの構成を示す回路図の一例である。
【図８】異なるチャネルに割り当てられた複数の調整不可端末を同一のチャネルに統合する場合におけるチャネルの再配置の一例を示す。
【図９】同一のチャネルに割り当てられた調整可端末を異なるチャネルに分離する場合におけるチャネルの再配置の一例を示す。
【図１０】携帯通信端末２００ａの構成を示すブロック図である。
【図１１】携帯通信端末２００ｃの構成を示すブロック図である。
【図１２】携帯通信端末と無線基地局１００との間における通信の動作を示すシーケンス図である。
【図１３】無線基地局１００によるチャネルの割当ての動作を示すフローチャートである。主として、調整可端末に対するチャネルの割当ての動作を示す。図１４へ続く。
【図１４】無線基地局１００によるチャネルの割当の動作を示すフローチャートである。調整不可端末に対するチャネルの割当ての動作を示す。図１３から続く。
【図１５】無線基地局１００と携帯通信端末２００ａとの間において、割り当てられたチャネルを介する通信の動作を示すシーケンス図である。
【図１６】携帯通信端末２００ａにおける相関値の算出の動作を示すフローチャートである。
【図１７】無線基地局１００におけるチャネルの再配置の動作（その１）を示すフローチャートである。異なるチャネルに割り当てられた複数の調整不可端末を同一のチャネルに統合してチャネルの再配置を試みる動作を示す。
【図１８】無線基地局１００におけるチャネルの再配置の動作（その２）を示すフローチャートである。同一のチャネルに割り当てられた複数の調整可端末を異なるチャネルに分離する動作を示す。
【図１９】変形例（１）としての無線基地局１００と携帯通信端末２００ａとの間におけるチャネルを介する通信の動作の一部分を示すシーケンス図である。
【図２０】変形例（２）としての無線基地局１００と携帯通信端末２００ａとの間におけるチャネルを介する通信の動作の一部分を示すシーケンス図である。
【発明を実施するための形態】
【００１２】
１．実施の形態
本発明の一の実施の形態の携帯通信端末が適用される無線通信システム１０について説明する。
１．１  無線通信システム１０
無線通信システム１０は、図１に一例として示すように、無線基地局１００及び複数の携帯通信端末２００ａ、２００ｂ、２００ｃ、・・・から構成されている。
【００１３】
無線基地局１００は、複数のアンテナを備えている。また、携帯通信端末２００ａ、２００ｂ、２００ｃ、・・・は、それぞれ、携帯電話機に代表され、無線による通信を行う小型の通信端末装置である。携帯通信端末２００ａ、２００ｂ、２００ｃ、・・・は、それぞれ、複数のアンテナ（一例として、本実施の形態では、２本のアンテナ）を備えている。
【００１４】
携帯通信端末には、調整可端末及び調整不可端末の二種類がある。調整可端末は、ＭＩＭＯによる通信を行う際に、自身のアンテナの経路のインピーダンスを調整することができる調整回路を有する携帯通信端末である。一方、調整不可端末は、このような回路を有しておらず、自身のアンテナの経路のインピーダンスを調整することができない携帯通信端末である。携帯通信端末２００ａ及び２００ｂは、それぞれ、調整可端末である。携帯通信端末２００ｃは、調整不可端末である。
【００１５】
複数の携帯通信端末２００ａ、２００ｂ、２００ｃ、・・・のうちの、何れか１台以上の携帯通信端末及び無線基地局１００は、ＭＩＭＯシステムを構成し、ＭＩＭＯによる通信を行う。このＭＩＭＯシステムは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式によって信号を伝送する。無線基地局１００が備える複数のアンテナのそれぞれは、独立した信号を伝送する。伝送される信号はバースト信号を形成している。
【００１６】
図２にバースト信号のフォーマットの構成例を示す。図２に示すバースト信号１２１においては、先頭から、プリアンブル１２２、シグナル１２３及びデータ１２４が配置される。プリアンブル１２２は、受信装置において、ＡＧＣの設定、タイミング同期、キャリア再生等のために用いられる既知信号である。シグナル１２３は、制御信号である。
プリアンブル１２２は、ＳＴＳ（Ｓｈｏｒｔ Ｔｒａｉｎｉｎｇ Ｓｅｑｕｅｎｃｅ）１２５及びＬＴＳ（Ｌｏｎｇ Ｔｒａｉｎｉｎｇ Ｓｅｑｕｅｎｃｅ）１２６を含む。ＳＴＳ１２５は、１０個の信号の単位１３１「ｔ１」、単位１３２「ｔ２」、・・・、単位「ｔ１０」によって構成されている。また、ＬＴＳ１２６は、ガードインターバル１３５「ＧＩ２」と、二つの信号の単位１３６「Ｔ１」及び単位１３７「Ｔ２」とによって構成されている。
【００１７】
当該バースト信号を受信した受信装置は、プリアンブルに基づいて、ＡＧＣ（Ａｕｔｏｍａｔｉｃ  Ｇａｉｎ  Ｃｏｎｔｒｏｌ）の設定、タイミング同期、キャリア再生等を実行する。また、受信装置は、空間信号処理により、受信した信号を分離して、所望の信号を復調する。
１．２  無線基地局１００
無線基地局１００は、一例として、図３に示すように、記憶部１０１、制御部１０２、送信回路１０３、受信回路１０４、複数の送受信切替回路１０７ａ、１０７ｂ、１０７ｃ、１０７ｄ、・・・、複数の調整回路１０８ａ、１０８ｂ、１０８ｃ、１０８ｄ、・・・、複数のアンテナ１０９ａ、１０９ｂ、１０９ｃ、１０９ｄ、・・・から構成されている。
【００１８】
（１）記憶部１０１
記憶部１０１は、不揮発性の半導体メモリから構成されており、制御部１０２に接続されている。記憶部１０１は、一例として、図４に示すチャネル配置テーブル１４０を記憶している。
（チャネル配置テーブル１４０）
チャネル配置テーブル１４０は、携帯通信端末に割り当てるチャネルを管理するためのデータテーブルである。
【００１９】
チャネルの配置が変更されると、チャネル配置テーブル１４０は、一例として、図５に示すチャネル配置テーブル１４０ａのように変化する。さらに、チャネル配置テーブル１４０ａは、一例として、図６に示すチャネル配置テーブル１４０ｂのように、変化する。
（チャネル配置テーブル１４０）
チャネル配置テーブル１４０は、一例として、図４に示すように、複数のチャネル配置情報を含む。各チャネル配置情報は、チャネルに対応している。各チャネルにおいては、一例として、最大で４台の携帯通信端末を割り当て可能である。各チャネル配置情報は、チャネル番号、端末数、調整可端末数、調整不可端末数及び４個の端末ＩＤを含む。
【００２０】
チャネル配置テーブル１４０に含まれている複数のチャネル配置情報は、それぞれ、初期値として、異なるチャネル番号を含む。一例として、チャネル配置情報１４１、１４２、１４３、・・・は、チャネル番号「ｆ１」、「ｆ２」、「ｆ３」、・・・を含む。また、各チャネル配置情報は、初期値として、端末数「０」、調整可端末数「０」、調整不可端末数「０」及び空白の４個の端末ＩＤを含む。
【００２１】
チャネル番号は、対応するチャネルを一意に識別する識別情報である。端末数は、当該チャネルに割り当てられた携帯通信端末の台数を示す。調整可端末数は、当該チャネルに割り当てられた調整可端末の台数を示す。調整不可端末数は、当該チャネルに割り当てられた調整不可端末の台数を示す。端末ＩＤは、当該チャネルに割り当てられた携帯通信端末を識別する識別情報である。
【００２２】
図４に示すチャネル配置テーブル１４０は、一例として、チャネル配置情報１４１、１４２、１４３、１４４、１４５、１４６、・・・を含んでいる。
チャネル配置情報１４１は、チャネル番号「ｆ１」、端末数「０」、調整可端末数「０」及び調整不可端末数「０」を含む。チャネル配置情報１４１は、端末ＩＤを含まない。このため、チャネル配置情報１４１は、チャネル番号「ｆ１」により識別されるチャネルには、携帯通信端末が割り当てられていないことを示す。
【００２３】
チャネル配置情報１４２は、チャネル番号「ｆ２」、端末数「１」、調整可端末数「１」、調整不可端末数「０」及び端末ＩＤ「Ａ０００１」を含む。このため、チャネル配置情報１４２は、チャネル番号「ｆ２」により識別されるチャネルには、端末ＩＤ「Ａ０００１」により識別される調整可端末のみが割り当てられていることを示す。
チャネル配置情報１４３は、チャネル番号「ｆ３」、端末数「１」、調整可端末数「０」、調整不可端末数「１」及び端末ＩＤ「Ｂ０１０１」を含む。このため、チャネル配置情報１４３は、チャネル番号「ｆ３」により識別されるチャネルには、端末ＩＤ「Ｂ０１０１」により識別される調整不可端末のみが割り当てられていることを示す。
【００２４】
チャネル配置情報１４４は、チャネル番号「ｆ４」、端末数「２」、調整可端末数「１」、調整不可端末数「１」、端末ＩＤ「Ａ０００２」及び端末ＩＤ「Ｂ０１０２」を含む。このため、チャネル配置情報１４４は、チャネル番号「ｆ４」により識別されるチャネルには、端末ＩＤ「Ａ０００２」により識別される調整可端末及び端末ＩＤ「Ｂ０１０２」により識別される調整不可端末が割り当てられていることを示す。
【００２５】
チャネル配置情報１４５は、チャネル番号「ｆ５」、端末数「２」、調整可端末数「２」、調整不可端末数「０」、端末ＩＤ「Ａ０００３」及び端末ＩＤ「Ａ０００４」を含む。このため、チャネル配置情報１４５は、チャネル番号「ｆ５」により識別されるチャネルには、端末ＩＤ「Ａ０００３」により識別される調整可端末及び端末ＩＤ「Ａ０００４」により識別される調整可端末が割り当てられていることを示す。
【００２６】
チャネル配置情報１４６は、チャネル番号「ｆ６」、端末数「２」、調整可端末数「０」、調整不可端末数「２」、端末ＩＤ「Ｂ０１０３」及び端末ＩＤ「Ｂ０１０４」を含む。このため、チャネル配置情報１４６は、チャネル番号「ｆ６」により識別されるチャネルには、端末ＩＤ「Ｂ０１０３」により識別される調整不可端末及び端末ＩＤ「Ｂ０１０４」により識別される調整不可端末が割り当てられていることを示す。
【００２７】
（チャネル配置テーブル１４０ａ）
図５に一例として示すチャネル配置テーブル１４０ａは、チャネル配置テーブル１４０に示す状態のチャネル配置が変更された結果を示している。
チャネル配置テーブル１４０ａは、チャネル配置情報１４１、１４２、１４３ａ、１４４ａ、１４５、１４６ａ、・・・を含んでいる。
【００２８】
チャネル配置テーブル１４０ａに含まれるチャネル配置情報１４１、１４２、１４５は、それぞれ、チャネル配置テーブル１４０に含まれるチャネル配置情報１４１、１４２、１４５と同じである。一方、チャネル配置テーブル１４０に含まれるチャネル配置情報１４３、１４４、１４６は、それぞれ、チャネル配置テーブル１４０ａにおいて、チャネル配置情報１４３ａ、１４４ａ、１４６ａに変更されている。
【００２９】
この変更は、チャネル「ｆ３」に割り当てられていた端末ＩＤ「Ｂ０１０１」により識別される携帯通信端末がチャネル「ｆ６」に変更されたため発生している。また、チャネル「ｆ４」に割り当てられていた端末ＩＤ「Ｂ０１０２」により識別される携帯通信端末がチャネル「ｆ６」に変更されたため発生している。なお、チャネルの割当ての変更方法については、後述する。
【００３０】
この結果、チャネル配置情報１４３ａは、端末数「０」、調整可端末数「０」及び調整不可端末数「０」を含むようになった。チャネル配置情報１４３ａは、端末ＩＤを含まない。また、チャネル配置情報１４４ａは、端末数「１」、調整可端末数「１」及び調整不可端末数「０」及び端末ＩＤ「Ａ０００２」を含むようになった。さらに、チャネル配置情報１４６ａは、端末数「４」、調整可端末数「０」及び調整不可端末数「４」及び端末ＩＤ「Ｂ０１０３」、端末ＩＤ「Ｂ０１０４」、端末ＩＤ「Ｂ０１０１」及び端末ＩＤ「Ｂ０１０２」を含むようになった。
【００３１】
（チャネル配置テーブル１４０ｂ）
図６に一例として示すチャネル配置テーブル１４０ｂは、チャネル配置テーブル１４０ａに示す状態のチャネル配置が変更された結果を示している。
チャネル配置テーブル１４０ｂは、チャネル配置情報１４１ｂ、１４２、１４３ａ、１４４ａ、１４５ｂ、１４６ａ、・・・を含んでいる。
【００３２】
チャネル配置テーブル１４０ｂに含まれるチャネル配置情報１４２、１４３ａ、１４４ａ、１４６ａは、それぞれ、チャネル配置テーブル１４０ａに含まれるチャネル配置情報１４２、１４３ａ、１４４ａ、１４６ａと同じである。一方、チャネル配置テーブル１４０ａに含まれるチャネル配置情報１４１、１４５は、それぞれ、チャネル配置テーブル１４０ｂにおいて、チャネル配置情報１４１ｂ、１４５ｂに変更されている。
【００３３】
これは、チャネル「ｆ５」に割り当てられていた端末ＩＤ「Ａ０００４」により識別される携帯通信端末がチャネル「ｆ１」に変更されたためである。なお、チャネルの割当ての変更方法については、後述する。
この結果、チャネル配置情報１４１ｂは、端末数「１」、調整可端末数「１」及び調整不可端末数「０」及び端末ＩＤ「Ａ０００４」を含むようになった。また、チャネル配置情報１４５ｂは、端末数「１」、調整可端末数「１」及び調整不可端末数「０」及び端末ＩＤ「Ａ０００３」を含むようになった。
【００３４】
（２）制御部１０２
制御部１０２は、記憶部１０１に接続されている。また、制御部１０２は、受信回路１０４の処理部１０５及び相関計算部１１０に接続され、送信回路１０３に接続されている。さらに、制御部１０２は、調整回路１０８ａ、１０８ｂ、１０８ｃ、１０８ｄ、・・・に接続されている。制御部１０２は、チャネル割当部１０２ａ、判断部１０２ｂ、生成部１０２ｃ及び調整制御部１０２ｄを含んでいる。
【００３５】
（ａ）調整可否フラグの受信
制御部１０２は、携帯通信端末２００ａ、２００ｂ、２００ｃ、・・・の何れかから、アンテナ１０９ａ、調整回路１０８ａ、送受信切替回路１０７ａ、無線部１０６ａ、処理部１０５を介して、通信要求を受信する。ここで、通信要求は、調整可否フラグを含んでいる。調整可否フラグは、通信要求の送信元の携帯通信端末が、調整可端末であるか、調整不可端末であるかを示すフラグである。調整可否フラグが「ＯＮ」であるとき、通信要求の送信元の携帯通信端末が、調整可端末であることを示す。調整可否フラグが「ＯＦＦ」であるとき、通信要求の送信元の携帯通信端末が、調整不可端末であることを示す。
【００３６】
通信要求を受信すると、制御部１０２は、受信した通信要求から調整可否フラグを抽出する。次に、制御部１０２は、抽出した調整可否フラグを記憶する。
（ｂ）チャネルの割当
チャネル割当部１０２ａは、次に示すようにして、通信要求の送信元の携帯通信端末に対してチャネルの割当てを試みる。
【００３７】
チャネル割当部１０２ａは、制御部１０２に記憶されている調整可否フラグが「ＯＮ」であるか「ＯＦＦ」であるかを判断する。言い換えると、チャネル割当部１０２ａは、通信要求の送信元の携帯通信端末が、調整可端末であるか、調整不可端末であるかを判断する。
（調整可否フラグが「ＯＮ」である場合、言い換えると、通信要求の送信元の携帯通信端末が、調整可端末である場合）
チャネル割当部１０２ａは、次に示す方法（ア）、（イ）、（ウ）をこの順序により実施して、空きのあるチャネルを探す。
【００３８】
（ア）携帯通信端末が割り当てられていないチャネルを探す。
（イ）方法（ア）により、該当するチャネルが発見できない場合、空きのあるチャネルから、調整可端末が割り当てられているが、調整不可端末が割り当てられていないチャネルを探す。
（ウ）方法（イ）により、該当するチャネルが発見できない場合、空きのあるチャネルから、調整可端末及び調整不可端末の両方が割り当てられているチャネルを探す。
【００３９】
上記の方法（ア）、（イ）、（ウ）の何れかにより、空きのあるチャネルが発見された場合には、チャネル割当部１０２ａは、そのチャネルを当該携帯通信端末に割り当てる。方法（ア）、（イ）、（ウ）のいずれによっても、空きのあるチャネルが発見されなかった場合、チャネル割当部１０２ａは、チャネルの割当てが失敗したことを示すメッセージを生成し、生成したメッセージを当該携帯通信端末に送信する。
【００４０】
（ｉ）方法（ア）の詳細は、以下の通りである。
チャネル割当部１０２ａは、端末数＝０のチャネルを探す。具体的には、チャネル割当部１０２ａは、チャネル配置テーブル１４０から、端末数「０」を含むチャネル配置情報を検索する。
チャネル配置テーブル１４０に、端末数「０」を含むチャネル配置情報が存在する場合、チャネル割当部１０２ａは、当該チャネル配置情報に含まれるチャネル番号により識別されるチャネルを、当該携帯通信端末に割り当てる。
【００４１】
また、チャネル割当部１０２ａは、当該チャネル配置情報において、端末数に「１」を加算し、調整可端末数に「１」を加算する。さらに、端末ＩＤとして当該携帯通信端末を識別する端末ＩＤを付加する。次に、チャネル配置テーブル１４０において、当該チャネル配置情報を上書きする。
方法（ア）では、携帯通信端末が割り当てられていないチャネルに対して、調整可端末である当該携帯通信端末を割り当てる。
【００４２】
（ii）方法（イ）の詳細は、次の通りである。
チャネル割当部１０２ａは、空きのあるチャネルから、調整可端末数が「０」でなく、調整不可端末数が「０」であるチャネルを探す。具体的には、チャネル割当部１０２ａは、チャネル配置テーブル１４０において、「１」以上、「４」未満の端末数を含むチャネル配置情報から、「０」でない調整可端末数及び「０」である調整不可端末数を含むチャネル配置情報を検索する。
【００４３】
該当するチャネル配置情報が存在する場合、チャネル割当部１０２ａは、当該チャネル配置情報に含まれるチャネル番号により識別されるチャネルを、当該携帯通信端末に割り当てる。
また、チャネル割当部１０２ａは、当該チャネル配置情報において、端末数に「１」を加算し、調整可端末数に「１」を加算する。さらに、端末ＩＤに当該携帯通信端末を識別する端末ＩＤを付加する。次に、チャネル配置テーブル１４０において、当該チャネル配置情報を上書きする。
【００４４】
方法（イ）では、調整可端末が一つのチャネルに集中するように、既に調整可端末が割り当てられ、調整不可端末が割り当てられていないチャネルに当該携帯通信端末を割り当てる。言い換えると、調整可端末と調整不可端末とが一つのチャネルにおいて混在しないように、当該チャネルに当該携帯通信端末を割り当てる。
（iii ）方法（ウ）の詳細は、次の通りである。
【００４５】
チャネル割当部１０２ａは、空きのあるチャネルから、調整可端末数が「０」でなく、調整不可端末数が「０」でないチャネルを探す。具体的には、チャネル割当部１０２ａは、チャネル配置テーブル１４０において、「１」以上、「４」未満の端末数を含むチャネル配置情報から、「０」でない調整可端末数及び「０」でない調整不可端末数を含むチャネル配置情報を検索する。
【００４６】
該当するチャネル配置情報が存在する場合、チャネル割当部１０２ａは、当該チャネル配置情報に含まれるチャネル番号により識別されるチャネルを、当該携帯通信端末に割り当てる。
また、チャネル割当部１０２ａは、当該チャネル配置情報において、端末数に「１」を加算し、調整可端末数に「１」を加算する。さらに、端末ＩＤとして当該携帯通信端末を識別する端末ＩＤを付加する。次に、チャネル配置テーブル１４０において、当該チャネル配置情報を上書きする。
【００４７】
方法（ウ）では、既に調整可端末と調整不可端末とが割り当てられているチャネルに当該携帯通信端末を割り当てている。言い換えると、既に調整可端末と調整不可端末とが混在して割り当てられているチャネルに当該携帯通信端末を割り当てている。これは、チャネルの割当ての失敗をできる限り避けるためである。
なお、空きのあるチャネルのうち、調整可端末数が「０」であり、調整不可端末数が「０」でないチャネルに、調整可端末を割り当てていない。これは、調整不可端末のみが割り当てられているチャネルに、調整可端末を割り当てないことにより、調整不可端末を一つのチャネルに集中させて割り当てるようにするためである。
【００４８】
（調整可否フラグが「ＯＦＦ」である場合、言い換えると、通信要求の送信元の携帯通信端末が、調整不可端末である場合）
チャネル割当部１０２ａは、次に示す方法（エ）、（オ）、（カ）をこの順序により実施して、空きのあるチャネルを探す。
（エ）空きのあるチャネルから、調整可端末が割り当てられておらず、調整不可端末が割り当てられているチャネルを探す。
【００４９】
（オ）方法（エ）により、該当するチャネルが発見できない場合、携帯通信端末が割り当てられていないチャネルを探す。
（カ）方法（オ）により、該当するチャネルが発見できない場合、空きのあるチャネルから、調整可端末及び調整不可端末が割り当てられているチャネルを探す。
上記の方法（エ）、（オ）、（カ）の何れかにより、空きのあるチャネルが発見された場合には、チャネル割当部１０２ａは、そのチャネルを当該携帯通信端末に割り当てる。方法（エ）、（オ）、（カ）のいずれによっても、空きのあるチャネルが発見されなかった場合、チャネル割当部１０２ａは、チャネルの割当てが失敗したことを示すメッセージを生成し、生成したメッセージを当該携帯通信端末に送信する。
【００５０】
（ｉ）方法（エ）の詳細は、以下の通りである。
チャネル割当部１０２ａは、空きのあるチャネルから、調整可端末数が「０」であり、調整不可端末数が「０」でないチャネルを探す。具体的には、チャネル割当部１０２ａは、チャネル配置テーブル１４０において、「１」以上、「４」未満の端末数を含むチャネル配置情報から、「０」である調整可端末数及び「０」でない調整不可端末数を含むチャネル配置情報を検索する。
【００５１】
該当するチャネル配置情報が存在する場合、チャネル割当部１０２ａは、当該チャネル配置情報に含まれるチャネル番号により識別されるチャネルを、当該携帯通信端末に割り当てる。
また、チャネル割当部１０２ａは、当該チャネル配置情報において、端末数に「１」を加算し、調整不可端末数に「１」を加算する。さらに、端末ＩＤとして当該携帯通信端末を識別する端末ＩＤを付加する。次に、チャネル配置テーブル１４０において、当該チャネル配置情報を上書きする。
【００５２】
方法（エ）では、調整不可端末を一つのチャネルに集中させて割り当てている。
（ii）方法（オ）の詳細は、以下の通りである。
チャネル割当部１０２ａは、調整可端末数が「０」であり、調整不可端末数が「０」であるチャネルを探す。具体的には、チャネル割当部１０２ａは、チャネル配置テーブル１４０において、「０」である調整可端末数及び「０」である調整不可端末数を含むチャネル配置情報を検索する。
【００５３】
該当するチャネル配置情報が存在する場合、チャネル割当部１０２ａは、当該チャネル配置情報に含まれるチャネル番号により識別されるチャネルを、当該携帯通信端末に割り当てる。
また、チャネル割当部１０２ａは、当該チャネル配置情報において、端末数に「１」を加算し、調整不可端末数に「１」を加算する。さらに、端末ＩＤとして当該携帯通信端末を識別する端末ＩＤを付加する。次に、チャネル配置テーブル１４０において、当該チャネル配置情報を上書きする。
【００５４】
方法（オ）では、携帯通信端末が割り当てられていないチャネルに対して、調整不可端末である当該携帯通信端末を割り当てている。
（iii ）方法（カ）の詳細は、以下の通りである。
チャネル割当部１０２ａは、空きのあるチャネルから、調整可端末数が「０」でなく、調整不可端末数が「０」でないチャネルを探す。具体的には、チャネル割当部１０２ａは、チャネル配置テーブル１４０において、「１」以上、「４」未満の端末数を含むチャネル配置情報から、「０」でない調整可端末数及び「０」でない調整不可端末数を含むチャネル配置情報を検索する。
【００５５】
該当するチャネル配置情報が存在する場合、チャネル割当部１０２ａは、当該チャネル配置情報に含まれるチャネル番号により識別されるチャネルを、当該携帯通信端末に割り当てる。
また、チャネル割当部１０２ａは、当該チャネル配置情報において、端末数に「１」を加算し、調整不可端末数に「１」を加算する。さらに、端末ＩＤとして当該携帯通信端末を識別する端末ＩＤを付加する。次に、チャネル配置テーブル１４０において、当該チャネル配置情報を上書きする。
【００５６】
方法（カ）では、既に調整可端末と調整不可端末とが割り当てられているチャネルに当該携帯通信端末を割り当てている。言い換えると、既に調整可端末と調整不可端末とが混在して割り当てられているチャネルに当該携帯通信端末を割り当てている。これは、チャネルの割当ての失敗をできる限り避けるためである。
なお、空きのあるチャネルのうち、調整可端末数が「０」でなく、調整不可端末数が「０」であるチャネルに、調整不可端末を割り当てていない。これは、調整可端末と調整不可端末とが一つのチャネルに混在して割り当てられることを避けるためである。また、調整可端末及び調整不可端末の両方が割り当てられているチャネルが増加することを避けるためである。
【００５７】
（ｃ）チャネルの再配置（その１−調整不可端末の統合）
チャネル割当部１０２ａは、以下に示すようにして、予め定められたタイミングにおいて、異なるチャネルに割り当てられた複数の調整不可端末を同一のチャネルに統合することにより、チャネルの再配置を試みる。このチャネルの再配置により、携帯通信端末が割り当てられていないチャネルを作り出す。その結果、携帯通信端末が割り当てられていないチャネルができれば、そのチャネルに調整可端末を割り当てることができるようになる。
【００５８】
ここで、予め定められたタイミングは、一例として、１秒毎である。チャネル割当部１０２ａは、１秒毎に、チャネルの再配置を行う。なお、チャネル割当部１０２ａは、１秒毎ではなく、０．５秒毎、２秒毎などに、チャネルの再配置を行うとしてもよい。また、予め定められたタイミングは、別の一例として、無線基地局といずれかの携帯通信端末との間の通信が終了し、当該携帯通信端末に割り当てられていたチャネルが開放されたときであるとしてもよい。
【００５９】
チャネル割当部１０２ａは、空きのあるチャネルであって、調整不可端末のみが割り当てられているチャネルのうち、最も多くの調整不可端末が割り当てられているチャネルを探す。このチャネルを第１チャネルと呼ぶ。次に、第１チャネルとは別のチャネルであって、調整不可端末が割り当てられているチャネルを探す。このチャネルを第２チャネルと呼ぶ。次に、第２チャネルに割り当てられた調整不可端末を、第１チャネルへ移動する。
【００６０】
具体的には、チャネル割当部１０２ａは、空きのあるチャネルから、調整可端末数が「０」であり、調整不可端末数が最大であるチャネル（このチャネルが第１チャネルである。）を探す。言い換えると、チャネル割当部１０２ａは、チャネル配置テーブル１４０において、「１」以上、「４」未満の端末数を含むチャネル配置情報から、「０」である調整可端末数及び最大の調整不可端末数を含むチャネル配置情報を検索する。
【００６１】
該当するチャネル配置情報が存在しない場合、チャネル割当部１０２ａは、チャネルの再配置の処理を終了する。
該当するチャネル配置情報が存在する場合、チャネル割当部１０２ａは、調整不可端末数が「０」でないチャネル（このチャネルが第２チャネルである。第２チャネルは、第１チャネルとは、異なるチャネルである。）を探す。言い換えると、チャネル割当部１０２ａは、チャネル配置テーブル１４０のチャネル配置情報から、「０」でない調整不可端末数を含むチャネル配置情報（このチャネル配置情報は、第１チャネルとは、異なるチャネル番号を含む）を検索する。
【００６２】
該当するチャネル配置情報が存在しない場合、チャネル割当部１０２ａは、チャネルの再配置の処理を終了する。
該当するチャネル配置情報が存在する場合、チャネル割当部１０２ａは、第２チャネルに割り当てられた一台の調整不可端末を、第１チャネルに移動させる。具体的には、チャネル割当部１０２ａは、第２チャネルのチャネル配置情報において、端末数から「１」を減じ、調整不可端末数から「１」を減じる。さらに、端末ＩＤから、当該調整不可端末を識別する端末ＩＤを削除する。次に、チャネル配置テーブル１４０において、第２チャネルのチャネル配置情報を上書きする。
【００６３】
次に、チャネル割当部１０２ａは、第１チャネルのチャネル配置情報において、端末数に「１」を加算し、調整不可端末数に「１」を加算する。さらに、端末ＩＤとして、当該調整不可端末を識別する端末ＩＤを付加する。次に、チャネル配置テーブル１４０において、第１チャネルのチャネル配置情報を上書きする。
（チャネルの再配置の一例（その１））
チャネル割当部１０２ａによるチャネルの再配置の一例を図８を用いて説明する。ここでは、異なるチャネルに割り当てられた複数の調整不可端末を同一のチャネルに統合する場合について説明する。
【００６４】
図８にチャネル配置１５０及び１５５を示す。
チャネル配置１５０において、横軸に、チャネルｆ１（１６７）、ｆ２（１６８）及びｆ３（１６９）を示している。チャネルｆ１（１６７）を介して、ＭＩＭＯ１（１５１）及びＭＩＭＯ２（１５２）による通信が行われ、チャネルｆ２（１６８）を介して、ＭＩＭＯ３（１５３）による通信が行われている。さらに、チャネルｆ３（１６９）を介して、ＭＩＭＯ４（１５４）による通信が行われている。
【００６５】
ここで、ＭＩＭＯ１は、第１の携帯通信端末と無線基地局１００との間のＭＩＭＯによる通信を示し、ＭＩＭＯ２は、第２の携帯通信端末と無線基地局１００との間のＭＩＭＯによる通信を示す。また、ＭＩＭＯ３は、第３の携帯通信端末と無線基地局１００との間のＭＩＭＯによる通信を示し、ＭＩＭＯ４は、第４の携帯通信端末と無線基地局１００との間のＭＩＭＯによる通信を示す。
【００６６】
また、第１の携帯通信端末、第２の携帯通信端末及び第４の携帯通信端末は、調整不可端末である。なお、第３の携帯通信端末は、調整可端末であってもよいし、調整不可端末であってもよい。
図８に示すチャネル配置１５０においては、チャネルｆ１（１６７）において、２個のＭＩＭＯによる通信が行われ、チャネルｆ３（１６９）においては、１個のＭＩＭＯによる通信が行われている。また、第１の携帯通信端末、第２の携帯通信端末及び第４の携帯通信端末は、調整不可端末である。そこで、チャネル割当部１０２ａは、ＭＩＭＯ４（１５４）をチャネルｆ１（１６７）に移動させる。
【００６７】
その結果、チャネル配置１５５においては、チャネルｆ１（１５７）を介して、ＭＩＭＯ１（１５１）、ＭＩＭＯ２（１５２）及びＭＩＭＯ４（１５６）による通信が行われる。また、チャネルｆ２（１５８）を介して、ＭＩＭＯ３（１５３）による通信が行われる。チャネルｆ３（１５９）は、どの携帯通信端末にも割り当てられていない。
このようにして、異なるチャネルに割り当てられた複数の調整不可端末を同一のチャネルに統合する。調整不可端末を一つのチャネルに統合することにより、どの携帯通信端末も割り当てられていないチャネルを作り出すことができる。その結果、どの携帯通信端末も割り当てられていないチャネルを生成することができるようになる。必要に応じて、このチャネルに調整可端末を割り当てる。
【００６８】
（ｄ）チャネルの再配置（その２−調整不可端末の分離）
チャネル割当部１０２ａは、以下に示すようにして、予め定められたタイミングにおいて、同一のチャネルに割り当てられた複数の調整可端末を異なるチャネルに分離することにより、チャネルの再配置を試みる。この結果、一つのチャネルに、一台の調整可端末のみが割り当てられるようにする。
【００６９】
ここで、予め定められたタイミングは、チャネルの再配置（その１−調整不可端末の統合）において説明した通りである。
チャネル割当部１０２ａは、２台以上の調整可端末が割り当てられ、調整不可端末が割り当てられていないチャネルを探す。このチャネルを第１チャネルと呼ぶ。次に、第１チャネルとは別のチャネルであって、携帯通信端末が割り当てられていないチャネルを探す。このチャネルを第２チャネルと呼ぶ。次に、第１チャネルに割り当てられた一台の調整可端末を、第２チャネルへ移動する。
【００７０】
具体的には、チャネル割当部１０２ａは、調整可端末数が「２」以上であり、調整不可端末数が「０」であるチャネル（このチャネルが第１チャネルである。）を探す。言い換えると、チャネル割当部１０２ａは、チャネル配置テーブル１４０のチャネル配置情報から、「２」以上である調整可端末数及び「０」である調整不可端末数を含むチャネル配置情報を検索する。
【００７１】
該当するチャネル配置情報が存在しない場合、チャネル割当部１０２ａは、チャネルの再配置の処理を終了する。
該当するチャネル配置情報が存在する場合、チャネル割当部１０２ａは、端末数が「０」であるチャネル（このチャネルが第２チャネルである。第２チャネルは、第１チャネルとは、異なるチャネルである。）を探す。言い換えると、チャネル割当部１０２ａは、チャネル配置テーブル１４０のチャネル配置情報から、「０」である端末数を含むチャネル配置情報（このチャネル配置情報は、第１チャネルとは、異なるチャネル番号を含む。）を検索する。
【００７２】
該当するチャネル配置情報が存在しない場合、チャネル割当部１０２ａは、チャネルの再配置の処理を終了する。
該当するチャネル配置情報が存在する場合、チャネル割当部１０２ａは、第１チャネルに割り当てられた一台の調整可端末を、第２チャネルに移動させる。具体的には、チャネル割当部１０２ａは、第１チャネルのチャネル配置情報において、端末数から「１」を減じ、調整可端末数から「１」を減じる。さらに、端末ＩＤから、当該調整可端末を識別する端末ＩＤを削除する。次に、チャネル配置テーブル１４０において、第１チャネルのチャネル配置情報を上書きする。次に、チャネル割当部１０２ａは、第２チャネルのチャネル配置情報において、端末数に「１」を加算し、調整可端末数に「１」を加算する。さらに、端末ＩＤに、当該調整可端末を識別する端末ＩＤを付加する。次に、チャネル配置テーブル１４０において、第２チャネルのチャネル配置情報を上書きする。
【００７３】
（チャネルの再配置の一例（その２））
チャネル割当部１０２ａによるチャネルの再配置の別の一例を図９を用いて説明する。ここでは、同一のチャネルに割り当てられた調整可端末を異なるチャネルに分離する場合について説明する。
図９にチャネル配置１６０及び１７０を示す。
【００７４】
チャネル配置１６０において、横軸に、チャネルｆ１（１６１）、ｆ２（１６２）及びｆ３（１６３）を示している。チャネルｆ１（１６１）を介して、ＭＩＭＯ１（１７１）及びＭＩＭＯ２（１７２）による通信が行われ、チャネルｆ２（１６２）を介して、ＭＩＭＯ３（１７３）による通信が行われている。チャネルｆ３（１６３）は、どの携帯通信端末にも割り当てられていない。
【００７５】
ここで、ＭＩＭＯ１は、第１の携帯通信端末と無線基地局１００との間のＭＩＭＯによる通信を示し、ＭＩＭＯ２は、第２の携帯通信端末と無線基地局１００との間のＭＩＭＯによる通信を示す。また、ＭＩＭＯ３は、第３の携帯通信端末と無線基地局１００との間のＭＩＭＯによる通信を示す。第１の携帯通信端末及び第２の携帯通信端末は、それぞれ、調整可端末である。なお、第３の携帯通信端末は、調整可端末であってもよいし、調整不可端末であってもよい。
【００７６】
図９に示すチャネル配置１６０において、チャネルｆ１（１６１）において、２個のＭＩＭＯによる通信が行われ、チャネルｆ３（１６３）においては、通信が行われていない。また、第１の携帯通信端末及び第２の携帯通信端末は、それぞれ、調整可端末である。そこで、チャネル割当部１０２ａは、ＭＩＭＯ２（１７２）をチャネルｆ３（１６３）に移動させる。
【００７７】
その結果、チャネル配置１７０において、チャネルｆ１（１６４）を介して、ＭＩＭＯ１（１７１）による通信が行われる。また、チャネルｆ２（１６５）を介して、ＭＩＭＯ３（１７３）による通信が行われる。さらに、チャネルｆ３（１６６）を介して、ＭＩＭＯ２（１７４）による通信が行われる。
このように、同一のチャネルに割り当てられた調整可端末を異なるチャネルに分離する。この結果、一つのチャネルに、一台の調整可端末のみが割り当てられるようにすることができる。
【００７８】
（ｅ）チャネルの通知
制御部１０２は、割り当てたチャネルを示すチャネル情報又は割り当ての失敗を示すメッセージを、送信回路１０３、送受信切替回路１０７ａ、調整回路１０８ａ及びアンテナ１０９ａを介して、送信する。
チャネルの再配置が行われた場合にも、制御部１０２は、チャネルの再配置に係る携帯通信端末に対して、チャネル情報を送信する。
【００７９】
（ｆ）チャネルを介する通信
制御部１０２は、携帯通信端末と無線基地局１００との間で、割り当てられたチャネルを介して、ＭＩＭＯによる通信を行うように制御する。
（ｇ）判断部１０２ｂによる判断及び生成部１０２ｃによる生成
制御部１０２は、アンテナ１０９ａ、調整回路１０８ａ、送受信切替回路１０７ａ、無線部１０６ａ及び処理部１０５を介して、調整予告情報を受信する。ここで、調整予告情報は、当該調整予告情報の送信元の携帯通信端末においてアンテナの経路のインピーダンスの調整を希望する旨を示す情報である。
【００８０】
調整予告情報を受信すると、判断部１０２ｂは、調整予告情報の送信元の携帯通信端末に割り当てられたチャネルに、他の携帯通信端末が割り当てられているか否かを判断する。
具体的には、判断部１０２ｂは、チャネル配置テーブル１４０のチャネル配置情報から、調整予告情報の送信元の携帯通信端末を識別する端末ＩＤを含むチャネル配置情報を探す。次に、その端末ＩＤを含むチャネル配置情報に、他の端末ＩＤが含まれているか否かを判断する。他の端末ＩＤが含まれている場合に、調整予告情報の送信元の携帯通信端末に割り当てられたチャネルに、他の携帯通信端末が割り当てられていると決定する。他の端末ＩＤが含まれていない場合に、調整予告情報の送信元の携帯通信端末に割り当てられたチャネルに、他の携帯通信端末が割り当てられていないと決定する。
【００８１】
他の携帯通信端末が割り当てられていない場合、制御部１０２は、何もしない。
他の携帯通信端末が割り当てられている場合、制御部１０２の生成部１０２ｃは、調整中止情報を生成する。調整中止情報は、調整予告情報の送信元の携帯通信端末に対してアンテナの経路のインピーダンスの調整の中止を指示するための情報である。次に、制御部１０２は、生成された調整中止情報を、送信回路１０３、送受信切替回路１０７ａ、調整回路１０８ａ及びアンテナ１０９ａを介して、調整予告情報の送信元の携帯通信端末へ送信する。
【００８２】
（ｈ）調整制御部１０２ｄ
調整制御部１０２ｄは、調整回路１０８ａ、１０８ｂ、１０８ｃ、１０８ｄ、・・・に対して、各アンテナの経路のインピーダンスを変更するように制御する。
（３）受信回路１０４
受信回路１０４は、処理部１０５及び複数の無線部１０６ａ、１０６ｂ、１０６ｃ、１０６ｄ、・・・を含む。
【００８３】
（処理部１０５）
処理部１０５は、制御部１０２及び無線部１０６ａ、１０６ｂ、１０６ｃ、１０６ｄ、・・・に接続されている。
処理部１０５は、無線部１０６ａ、１０６ｂ、１０６ｃ、１０６ｄ、・・・からそれぞれ信号を受け取り、受け取った信号に対して、空間信号処理を行う。この結果、送信された元の複数の信号に相当する信号を生成し、生成した信号を制御部１０２に対して出力する。
【００８４】
また、処理部１０５は、相関計算部１１０を含んでいる。
（無線部１０６ａ、１０６ｂ、１０６ｃ、１０６ｄ、・・・）
無線部１０６ａ、１０６ｂ、１０６ｃ、１０６ｄ、・・・は、それぞれ、処理部１０５に接続されている。また、無線部１０６ａは、送受信切替回路１０７ａに接続され、無線部１０６ｂは、送受信切替回路１０７ｂに接続されている。また、無線部１０６ｃは、送受信切替回路１０７ｃに接続され、無線部１０６ｄは、送受信切替回路１０７ｄに接続されている。
【００８５】
無線部１０６ａは、アンテナ１０９ａにより受信した電波から、一例として、１．９ＧＨｚ帯の信号を選択する。次に、選択した信号をベースバンドのベースバンド受信信号に周波数変換し、増幅、ＡＤ変換等を行う。次に、得られた信号を処理部１０５に対して出力する。無線部１０６ｂ、１０６ｃ、１０６ｄ、・・・についても、無線部１０６ａと同様である。
【００８６】
（相関計算部１１０）
相関計算部１１０は、制御部１０２に接続されている。
ＭＩＭＯによる通信を行う場合、通信相手局である送信装置が２本のアンテナを備えるとき、アンテナ１からはＳＴＳ（Ｓｈｏｒｔ Ｔｒａｉｎｉｎｇ Ｓｅｑｕｅｎｃｅ）１の信号Ｓが出力され、アンテナ２からはＳＴＳ（Ｓｈｏｒｔ Ｔｒａｉｎｉｎｇ Ｓｅｑｕｅｎｃｅ）２の信号Ｒが出力される。
【００８７】
相関計算部１１０は、ＳＴＳ１の信号ＳとＳＴＳ２の信号Ｒとの間の相関を示す相関値を、算出する。算出の手順については、後述する携帯通信端末２００ａの相関計算部２１１と同じであるので、ここでは、説明を省略する。
相関計算部１１０は、算出した相関値を制御部１０２へ出力する。
（４）送信回路１０３
送信回路１０３は、制御部１０２に接続され、また、送受信切替回路１０７ａ、１０７ｂ、１０７ｃ、１０７ｄ、・・・に接続されている。
【００８８】
送信回路１０３は、制御部１０２から受け取った信号に対して増幅、信号の周波数選択や周波数変換等を行って、得られた信号を送受信切替回路１０７ａ、１０７ｂ、１０７ｃ、１０７ｄ、・・・に対して出力する。
（５）送受信切替回路１０７ａ、１０７ｂ、１０７ｃ、１０７ｄ、・・・
送受信切替回路１０７ａ、１０７ｂ、１０７ｃ、１０７ｄ、・・・は、それそれ、送信回路１０３に接続されている。また、送受信切替回路１０７ａは、無線部１０６ａ及び調整回路１０８ａに接続されている。送受信切替回路１０７ｂは、無線部１０６ｂ及び調整回路１０８ｂに接続されている。送受信切替回路１０７ｃは、無線部１０６ｃ及び調整回路１０８ｃに接続されている。送受信切替回路１０７ｄは、無線部１０６ｄ及び調整回路１０８ｄに接続されている。
【００８９】
送受信切替回路１０７ａは、送信及び受信の切替えのタイミングに合わせて、送信回路１０３と調整回路１０８ａとの接続、及び、調整回路１０８ａと無線部１０６ａとの接続を切り替える。送受信切替回路１０７ｂ、送受信切替回路１０７ｃ、送受信切替回路１０７ｄ、・・・についても、送受信切替回路１０７ａと同様である。
（６）調整回路１０８ａ、１０８ｂ、１０８ｃ、１０８ｄ、・・・及びアンテナ１０９ａ、１０９ｂ、１０９ｃ、１０９ｄ、・・・
調整回路１０８ａ、１０８ｂ、１０８ｃ、１０８ｄ、・・・は、それぞれ、制御部１０２に接続されている。また、調整回路１０８ａは、送受信切替回路１０７ａ及びアンテナ１０９ａに接続され、調整回路１０８ｂは、送受信切替回路１０７ｂ及びアンテナ１０９ｂに接続されている。調整回路１０８ｃは、送受信切替回路１０７ｃ及びアンテナ１０９ｃに接続され、調整回路１０８ｄは、送受信切替回路１０７ｄ及びアンテナ１０９ｄに接続されている。
【００９０】
調整回路１０８ａは、アンテナ１０９ａの経路のインピーダンスを変更する回路である。調整回路１０８ａは、一例として、図７に示すように、接続端子１８０、インダクタ１８１、可変コンデンサ１８２、インダクタ１８３、可変コンデンサ１８４、インダクタ１８５、可変コンデンサ１８６及び接続端子１８７から構成されている。
接続端子１８０は、アンテナ１０９ａに接続されている。また、接続端子１８０は、インダクタ１８１の一端、可変コンデンサ１８２の一端、インダクタ１８３の一端及び可変コンデンサ１８４の一端に接続されている。インダクタ１８１の他端及び可変コンデンサ１８２の他端は、接地されている。
【００９１】
また、インダクタ１８３の他端、可変コンデンサ１８４の他端、インダクタ１８５の一端、可変コンデンサ１８６の一端は、それぞれ、接続端子１８７に接続されている。インダクタ１８５の他端及び可変コンデンサ１８６の他端は、接地されている。
さらに、接続端子１８７は、送受信切替回路１０７ａに接続されている。
可変コンデンサ１８２、可変コンデンサ１８４及び可変コンデンサ１８６は、それぞれ、制御部１０２の調整制御部１０２ｄから制御信号を受け取り、受け取った制御信号に応じて、静電容量を変化させる。
【００９２】
調整回路１０８ｂ、調整回路１０８ｃ、調整回路１０８ｄ、・・・も、調整回路１０８ａと同一の構成を有している。
また、アンテナ１０９ａは、調整回路１０８ａ及び送受信切替回路１０７ａを介して、無線部１０６ａ及び送信回路１０３に接続されている。調整回路１０８ａにより、アンテナ１０９ａの経路のインピーダンスを変更することにより、そのアンテナ特性が変更される。
【００９３】
また、アンテナ１０９ｂ、１０９ｃ、１０９ｄ、・・・についても、アンテナ１０９ａと同様である。
１．３  携帯通信端末２００ａ
携帯通信端末２００ａは、調整可端末である。
携帯通信端末２００ａは、一例として、図１０に示すように、記憶部２０１、制御部２０２、加速度センサ２０３、送信回路２０４、受信回路２０５、送受信切替回路２０８ａ、２０８ｂ、調整回路２０９ａ、２０９ｂ、アンテナ２１０ａ、２１０ｂ及び図示していないその他の回路から構成されている。受信回路２０５は、無線部２０７ａ、２０７ｂ及び処理部２０６を含む。
【００９４】
（１）記憶部２０１
記憶部２０１は、一例として、不揮発性の半導体メモリから構成されている。
また、記憶部２０１は、時刻情報及び加速度情報からなる１個の組又は複数個の組を記憶するための領域を備えている。時刻情報は、時刻を示す。加速度情報は、対応する時刻情報により示される時刻において、加速度センサ２０３により検出された携帯通信端末２００ａのＸ軸、Ｙ軸及びＺ軸方向の加速度を示す。
【００９５】
ここで、携帯通信端末２００ａにおいて、それぞれ直交するＸ軸、Ｙ軸及びＺ軸を、次のように定義する。携帯通信端末２００ａの表示面を含む平面上において、携帯通信端末２００ａの筐体の長手方向に、Ｙ軸を定義する。また、前記平面上において、Ｙ軸に垂直方向に、Ｘ軸を定義する。さらに、Ｘ軸及びＹ軸に垂直方向に、Ｚ軸を定義する。
（２）加速度センサ２０３
加速度センサ２０３は、三軸加速度センサである。加速度センサ２０３は、携帯通信端末２００ａのＸ軸、Ｙ軸及びＺ軸方向の加速度を検出する。加速度センサ２０３は、検出されたＸ軸、Ｙ軸及びＺ軸方向のアナログの加速度をデジタル化する。次に、Ｘ軸、Ｙ軸及びＺ軸方向のデジタルの加速度を示す加速度情報を制御部２０２に対して出力する。
【００９６】
（３）送信回路２０４
送信回路２０４は、制御部２０２に接続され、また、送受信切替回路２０８ａ、２０８ｂに接続されている。
送信回路２０４は、制御部２０２から受け取った信号に対して増幅、信号の周波数選択や周波数変換等を行って、得られた信号を送受信切替回路２０８ａ、２０８ｂに対して出力する。
【００９７】
（４）アンテナ２１０ａ及び２１０ｂ、調整回路２０９ａ及び２０９ｂ、並びに、送受信切替回路２０８ａ及び２０８ｂ
アンテナ２１０ａは、調整回路２０９ａ及び送受信切替回路２０８ａを介して、送信回路２０４及び無線部２０７ａに接続されている。また、アンテナ２１０ｂは、調整回路２０９ｂ及び送受信切替回路２０８ｂを介して、送信回路２０４及び無線部２０７ｂに接続されている。調整回路２０９ａ及び２０９ｂにより、それぞれ、アンテナ２１０ａ、２１０ｂの経路のインピーダンスを変更することにより、そのアンテナ特性が変更される。
【００９８】
調整回路２０９ａは、アンテナ２１０ａの経路のインピーダンスを変更する回路である。調整回路２０９ａは、無線基地局１００が有する調整回路１０８ａと同一の構成である。ここでは、その詳細についての説明を省略する。
調整回路２０９ａが有する可変コンデンサ１８２、可変コンデンサ１８４及び可変コンデンサ１８６は、それぞれ、制御部２０２の調整制御部２０２ｑから制御信号を受け取り、受け取った制御信号に応じて、静電容量を変化させる。
【００９９】
調整回路２０９ｂも、調整回路１０８ａと同一の構成を有している。
送受信切替回路２０８ａは、送信及び受信の切替えのタイミングに合わせて、調整回路２０９ａと送信回路２０４との接続、及び、調整回路２０９ａと無線部２０７ａとの接続を切り替える。送受信切替回路２０８ｂについても、送受信切替回路２０８ａと同様である。
【０１００】
（５）受信回路２０５
受信回路２０５は、上述したように、無線部２０７ａ、２０７ｂ及び処理部２０６を含む。また、処理部２０６は、相関計算部２１１を含む。
（無線部２０７ａ、２０７ｂ）
無線部２０７ａは、アンテナ２１０ａにより受信した電波から、一例として、１．９ＧＨｚ帯の信号を選択する。次に、選択した信号をベースバンドのベースバンド受信信号に周波数変換し、増幅、ＡＤ変換等を行う。次に、得られた信号を処理部２０６に対して出力する。無線部２０７ｂも、無線部２０７ａと同一の構成を有している。
【０１０１】
（処理部２０６）
処理部２０６は、無線部２０７ａ及び無線部２０７ｂからそれぞれ信号を受け取り、受け取った信号に対して、空間信号処理を行う。この結果、送信された元の複数の信号に相当する信号を生成し、生成した信号を制御部２０２に対して出力する。
（相関計算部２１１）
ＭＩＭＯによる通信を行う場合、通信相手局である送信装置が２本のアンテナを備えるとき、アンテナ１からはＳＴＳ１の信号Ｓが出力され、アンテナ２からはＳＴＳ２の信号Ｒが出力される。
【０１０２】
相関計算部２１１は、ＳＴＳ１の信号ＳとＳＴＳ２の信号Ｒとの間の相関を示す相関値を、以下の手順により、算出する。
（i ）相関計算部２１１は、変数Ａ、変数Ｂ及び変数Ｃを初期化する。
Ａ＝（０、０）、Ｂ＝０、Ｃ＝０
ここで、変数Ａは、複素数である。また、変数Ｂ及び変数Ｃは、実数である。
【０１０３】
（ii）相関計算部２１１は、全てのアンテナのそれぞれについて、以下の（ａ）〜（ｅ）を繰り返す。
（ａ）当該アンテナにより受信したＳＴＳ１の信号Ｓ及びＳＴＳ２の信号Ｒを取得する。
（ｂ）相関計算部２１１は、Ｄ＝Ｓ・conj（Ｒ）を算出する。
【０１０４】
ここで、conj（Ｘ）は、複素数Ｘの共役複素数である。
（ｃ）相関計算部２１１は、Ａ＝Ａ＋Ｄを算出する。
（ｄ）相関計算部２１１は、Ｂ＝Ｂ＋Ｒｅ［Ｓ］・Ｒｅ［Ｓ］＋Ｉｍ［Ｓ］・Ｉｍ［Ｓ］を算出する。
ここで、Ｒｅ［Ｘ］は、Ｘの実数部である。また、Ｉｍ［Ｘ］は、Ｘの虚数部である。
【０１０５】
（ｅ）相関計算部２１１は、Ｃ＝Ｃ＋Ｒｅ［conj（Ｒ）］・Ｒｅ［conj（Ｒ）］
＋Ｉｍ［conj（Ｒ）］・Ｉｍ［conj（Ｒ）］を算出する。
（iii ）相関計算部２１１は、以下を算出する。
Ｅ  ＝  Ｒｅ［Ａ］・Ｒｅ［Ａ］  ＋  Ｉｍ［Ａ］・Ｉｍ［Ａ］
ここで、Ｅは、実数である。
【０１０６】
（iv）相関計算部２１１は、以下を算出する。
相関値＝ｓｑｒｔ（Ｅ）／（ｓｑｒｔ（Ｂ）・ｓｑｒｔ（Ｃ））
ここで、ｓｑｒｔ（Ｘ）は、Ｘの平方根である。
このようにして、相関計算部２１１は、信号Ｓと信号Ｒと間の相関を示す相関値を算出する。
【０１０７】
（v ）相関計算部２１１は、算出した相関値を制御部２０２に対して出力する。
上記においては、ＳＴＳ１の信号Ｓ及びＳＴＳ２の信号Ｒを取得し、信号Ｓ及び信号Ｒを用いて、相関値を算出しているが、その他の信号を用いるとしてもよい。
（６）制御部２０２
制御部２０２は、判断部２０２ｍ、生成部２０２ｏ、抑止制御部２０２ｐ及び調整制御部２０２ｑを含む。判断部２０２ｍは、比較部２０２ｎを含む。
【０１０８】
（通信の確立の制御）
制御部２０２は、調整可否フラグを含む通信要求を生成する。調整可否フラグについては、上述した通りである。なお、携帯通信端末２００ａは、調整可端末であるので、前記調整可否フラグは、「ＯＮ」である。制御部２０２は、生成した通信要求を、送信回路２０４、送受信切替回路２０８ａ、調整回路２０９ａ及びアンテナ２１０ａを介して、送信する。
【０１０９】
また、制御部２０２は、アンテナ２１０ａ、調整回路２０９ａ、送受信切替回路２０８ａ、無線部２０７ａ及び処理部２０６を介して、割り当てられたチャネルを示すチャネル情報又は割り当ての失敗を示すメッセージを受信する。
チャネル情報を受信した場合、制御部２０２は、無線基地局１００との間で、受信したチャネル情報により示され、割り当てられたチャネルを介して、通信を行う。
【０１１０】
割り当ての失敗を示すメッセージを受信した場合、制御部２０２は、無線基地局１００との間で通信を行うことはできない。
（相関値の算出及びアンテナの経路のインピーダンスの変更）
制御部２０２は、一例として、加速度センサ２０３から受け取った加速度情報及び記憶部２０１に記憶している加速時情報を用いて、携帯通信端末２００ａの向きの変化を検出する。次に、向きの変化を検出した場合に、相関計算部２１１に対して、相関値を算出するように指示する。次に、制御部２０２は、相関計算部２１１から相関値を受け取る。
【０１１１】
判断部２０２ｍは、複数のアンテナにより受信した信号間の相関を示す相関値により受信品質の劣化を判断する。具体的には、判断部２０２ｍに含まれる比較部２０２ｎは、受け取った相関値が閾値より大きいか否かを判断する。ここで、閾値は、一例として、「０．５」である。
受け取った相関値が閾値より大きいと判断する場合、生成部２０２ｏは、調整予告情報を生成する。調整予告情報は、携帯通信端末２００ａにおいてアンテナの経路のインピーダンスの調整を希望する旨を示す情報である。制御部２０２は、生成された調整予告情報を、送信回路２０４、送受信切替回路２０８ａ、調整回路２０９ａ及びアンテナ２１０ａを介して、無線基地局１００に対して送信する。
【０１１２】
受け取った相関値が閾値より小さい又は等しいと判断する場合、生成部２０２ｏは、調整予告情報を生成しない。この場合、制御部２０２は、調整予告情報を送信しない。
また、制御部２０２は、アンテナ２１０ａ、調整回路２０９ａ、送受信切替回路２０８ａ、無線部２０７ａ、処理部２０６を介して、調整中止情報を受信する。
調整中止情報を受信した場合、抑止制御部２０２ｐは、アンテナの経路のインピーダンスの調整を抑止する。
【０１１３】
調整予告情報を送信した後、所定の時間（例えば、１秒）が経過しても、調整中止情報を受信しない場合、調整制御部２０２ｑは、調整回路２０９ａ及び２０９ｂに対して、アンテナの経路のインピーダンスを変更するように制御する。
（チャネルを介する通信）
制御部１０２は、無線基地局１００との間で、割り当てられたチャネルを介して、ＭＩＭＯによる通信を行うように制御する。
【０１１４】
（調整回路２０９ａ及び２０９ｂに対する制御）
制御部２０２の調整制御部２０２ｑは、調整回路２０９ａ及び２０９ｂに対して、以下に示すようにして、それぞれのアンテナの経路のインピーダンスを変更するように制御する。
調整制御部２０２ｑは、あらかじめ、携帯通信端末２００ａの向きに対応して、６個の変動量を記憶している。ここで、６個の変動量は、調整回路２０９ａ及び調整回路２０９ｂが保持する可変コンデンサ１８２、１８４及び１８６及び可変コンデンサ１８２、１８４及び１８６の静電容量を変化させるための変動量である。
【０１１５】
調整制御部２０２ｑは、６個の変動量を読み出す。一例として、制御部２０２は、変動量ｃ１、変動量ｃ２、変動量ｃ３、変動量ｃ４、変動量ｃ５及び変動量ｃ６を読み出す。
次に、調整制御部２０２ｑは、調整回路２０９ａ及び調整回路２０９ｂに対して、読み出した変動量を出力し、それぞれのアンテナの経路のインピーダンスを変更するように制御する。一例として、調整制御部２０２ｑは、取得した変動量ｃ１、変動量ｃ２及び変動量ｃ３を調整回路２０９ａに対して出力する。また、取得した変動量ｃ４、変動量ｃ５及び変動量ｃ６を調整回路２０９ｂに対して出力する。
【０１１６】
調整回路２０９ａは、変動量ｃ１、変動量ｃ２及び変動量ｃ３を受け取り、受け取った変動量ｃ１、変動量ｃ２及び変動量ｃ３の分だけ、可変コンデンサ１８２、１８４及び１８６の静電容量を変化させる。また、調整回路２０９ｂは、変動量ｃ４、変動量ｃ５及び変動量ｃ６を受け取り、受け取った変動量ｃ４、変動量ｃ５及び変動量ｃ６の分だけ、可変コンデンサ１８２、１８４及び１８６の静電容量を変化させる。
【０１１７】
１．４  携帯通信端末２００ｃ
携帯通信端末２００ｃは、調整不可端末である。
携帯通信端末２００ｃは、一例として、図１１に示すように、記憶部２０１ｃ、制御部２０２ｃ、加速度センサ２０３ｃ、送信回路２０４ｃ、受信回路２０５ｃ、送受信切替回路２０８ｃ、２０８ｄ、アンテナ２１０ｃ、２１０ｄ及び図示していないその他の回路から構成されている。受信回路２０５ｃは、無線部２０７ｃ、２０７ｄ及び処理部２０６ｃを含む。
【０１１８】
（１）記憶部２０１ｃ
記憶部２０１は、一例として、不揮発性の半導体メモリから構成されている。
（２）加速度センサ２０３ｃ
加速度センサ２０３ｃは、三軸加速度センサである。携帯通信端末２００ａの加速度センサ２０３と同一の構成を有している。
【０１１９】
（３）送信回路２０４ｃ
送信回路２０４ｃは、制御部２０２ｃに接続され、また、送受信切替回路２０８ｃ、２０８ｄに接続されている。
送信回路２０４ｃは、制御部２０２ｃから受け取った信号に対して増幅、信号の周波数選択や周波数変換等を行って、得られた信号を送受信切替回路２０８ｃ、２０８ｄに対して出力する。
【０１２０】
（４）アンテナ２１０ｃ、２１０ｄ、及び、送受信切替回路２０８ｃ、２０８ｄ
アンテナ２１０ｃは、送受信切替回路２０８ｃを介して、送信回路２０４ｃ及び無線部２０７ｃに接続されている。アンテナ２１０ｄは、送受信切替回路２０８ｄを介して、送信回路２０４ｃ及び無線部２０７ｄに接続されている。
送受信切替回路２０８ｃは、送信及び受信の切替えのタイミングに合わせて、送信回路２０４ｃとアンテナ２１０ｃとの接続、及び、アンテナ２１０ｃと無線部２０７ｃとの接続を切り替える。送受信切替回路２０８ｄについても、送受信切替回路２０８ｃと同様である。
【０１２１】
（５）受信回路２０５ｃ
受信回路２０５ｃは、上述したように、無線部２０７ｃ、２０７ｄ及び処理部２０６ｃを含む。
（無線部２０７ｃ、２０７ｄ）
無線部２０７ｃは、アンテナ２１０ｃにより受信した電波から、一例として、１．９ＧＨｚ帯の信号を選択する。次に、選択した信号をベースバンドのベースバンド受信信号に周波数変換し、増幅、ＡＤ変換等を行う。次に、得られた信号を処理部２０６ｃに対して出力する。無線部２０７ｄも、無線部２０７ｃと同様の構成を有している。
【０１２２】
（処理部２０６ｃ）
処理部２０６ｃは、無線部２０７ｃ及び無線部２０７ｄからそれぞれ信号を受け取り、受け取った信号に対して、空間信号処理を行う。この結果、送信された元の複数の信号に相当する信号を生成し、生成した信号を制御部２０２ｃに対して出力する。
（６）制御部２０２ｃ
制御部２０２ｃは、調整可否フラグを含む通信要求を生成する。調整可否フラグについては、上述した通りである。なお、携帯通信端末２００ｃは、調整不可端末であるので、前記調整可否フラグは、「ＯＦＦ」である。次に、制御部２０２ｃは、生成した通信要求を、送信回路２０４ｃ、送受信切替回路２０８ｃ、調整回路２０９ｃ及びアンテナ２１０ｃを介して、送信する。
【０１２３】
制御部２０２ｃは、携帯通信端末２００ｃと無線基地局１００との間で、割り当てられたチャネルを介して、ＭＩＭＯによる通信の制御を行う。
１．５  無線通信システム１０の動作
無線通信システム１０の動作について、以下に説明する。
（１）無線通信システム１０における通信の動作
携帯通信端末と無線基地局１００との間における通信の動作について、図１２に示すシーケンス図を用いて説明する。ここで、携帯通信端末は、携帯通信端末２００ａ及び２００ｃの何れかであるとする。
【０１２４】
携帯通信端末２００ａの制御部２０２、又は、携帯通信端末２００ｃの制御部２０２ｃは、調整可否フラグを含む通信要求を生成する（ステップＳ１０１）。
次に、制御部２０２は、生成した通信要求を、送信回路２０４、送受信切替回路２０８ａ、調整回路２０９ａ及びアンテナ２１０ａを介して、送信する。又は、制御部２０２ｃは、生成した通信要求を、送信回路２０４ｃ、送受信切替回路２０８ｃ及びアンテナ２１０ｃを介して、送信する（ステップＳ１０２）。
【０１２５】
無線基地局１００の制御部１０２は、携帯通信端末２００ａ又は携帯通信端末２００ｃから、アンテナ１０９ａ、調整回路１０８ａ、送受信切替回路１０７ａ、無線部１０６ａ及び処理部１０５を介して、通信要求を受信する（ステップＳ１０２）。
制御部１０２は、受信した通信要求から調整可否フラグを抽出し、抽出した調整可否フラグを記憶する（ステップＳ１０３）。
【０１２６】
次に、制御部１０２のチャネル割当部１０２ａは、通信要求の送信元の携帯通信端末２００ａ又は携帯通信端末２００ｃに対してチャネルの割当てを試みる（ステップＳ１０４）。次に、制御部１０２は、割り当てたチャネルを示すチャネル情報又は割当ての失敗を示すメッセージを、送信回路１０３、送受信切替回路１０７ａ、調整回路１０８ａ及びアンテナ１０９ａを介して、送信する（ステップＳ１０５）。
【０１２７】
携帯通信端末２００ａの制御部２０２は、アンテナ２１０ａ、調整回路２０９ａ、送受信切替回路２０８ａ、無線部２０７ａ及び処理部２０６を介して、チャネル情報又はメッセージを受信する。又は、携帯通信端末２００ｃの制御部２０２ｃは、アンテナ２１０ｃ、送受信切替回路２０８ｃ、無線部２０７ｃ及び処理部２０６ｃを介して、チャネル情報又はメッセージを受信する（ステップＳ１０５）。
【０１２８】
チャネルが割り当てられた場合、携帯通信端末２００ａ又は携帯通信端末２００ｃと、無線基地局１００とは、割り当てられたチャネルを介して、通信を行う（ステップＳ１０６）。
制御部１０２のチャネル割当部１０２ａは、予め定められたタイミングにおいて、異なるチャネルに割り当てられた複数の調整不可端末を同一のチャネルに統合する。このようにして、チャネルの再配置を試みる（ステップＳ１０７）。
【０１２９】
次に、制御部１０２のチャネル割当部１０２ａは、予め定められたタイミングにおいて、同一のチャネルに割り当てられた複数の調整可端末を異なるチャネルに分離する。このようにして、チャネルの再配置を試みる（ステップＳ１０８）。
チャネルの再配置が行われた場合（ステップＳ１０９で「有り」）、制御部１０２は、チャネルの再配置に係る携帯通信端末に対して、変更されたチャネルを示すチャネル情報を送信する（ステップＳ１１０）。次に、チャネルの再配置に係る携帯通信端末は、無線基地局１００から変更されたチャネルを示すチャネル情報を受信する（ステップＳ１１０）。
【０１３０】
当該携帯通信端末と無線基地局１００とは、新たなチャネルを介して、通信を行う（ステップＳ１１１）。
チャネルの再配置が行われなかった場合（ステップＳ１０９で「無し」）、制御部１０２は、何もしない。
（２）チャネル割当部１０２ａによるチャネルの割当ての動作
無線基地局１００の制御部１０２が有するチャネル割当部１０２ａによるチャネルの割当ての動作について、図１３及び図１４に示すフローチャートを用いて説明する。なお、ここで説明する動作は、図１２のステップＳ１０４の詳細である。チャネルの割り当ての処理が終了すると、図１２に示す動作に復帰し、ステップＳ１０５に制御が移る。
【０１３１】
チャネル割当部１０２ａは、制御部１０２に記憶されている調整可否フラグが「ＯＮ」であるか「ＯＦＦ」であるかを判断する（ステップＳ１３１）。
チャネル割当部１０２ａにより、調整可否フラグが「ＯＦＦ」であると判断される場合（ステップＳ１３１で「ＯＦＦ」）、制御は、ステップＳ１５１へ移る。
調整可否フラグが「ＯＮ」であると判断する場合（ステップＳ１３１で「ＯＮ」）、チャネル割当部１０２ａは、端末数＝０のチャネルを探す。言い換えると、携帯通信端末が割り当てられていないチャネルを探す。具体的には、チャネル割当部１０２ａは、記憶部１０１に記憶されているチャネル配置テーブル１４０から、端末数「０」を含むチャネル配置情報を検索する（ステップＳ１３２）。
【０１３２】
チャネル配置テーブル１４０に、端末数「０」を含むチャネル配置情報が存在する場合（ステップＳ１３３で「ＹＥＳ」）、チャネル割当部１０２ａは、当該チャネル配置情報に含まれるチャネル番号により識別されるチャネルを、当該携帯通信端末に割り当てる。また、チャネル割当部１０２ａは、当該チャネル配置情報において、端末数に「１」を加算し、調整可端末数に「１」を加算する。さらに、端末ＩＤとして当該携帯通信端末を識別する端末ＩＤを付加する。次に、チャネル配置テーブル１４０において、当該チャネル配置情報を上書きする（ステップＳ１３４）。次に、チャネル割当部１０２ａによるチャネルの割当ての処理を終了する。
【０１３３】
チャネル配置テーブル１４０に、端末数「０」を含むチャネル配置情報が存在しない場合（ステップＳ１３３で「ＮＯ」）、チャネル割当部１０２ａは、空きのあるチャネルから、調整可端末数が「０」でなく、調整不可端末数が「０」であるチャネルを探す。具体的には、チャネル割当部１０２ａは、チャネル配置テーブル１４０において、「１」以上、「４」未満の端末数を含むチャネル配置情報から、「０」でない調整可端末数及び「０」である調整不可端末数を含むチャネル配置情報を検索する（ステップＳ１３５）。
【０１３４】
該当するチャネル配置情報が存在する場合（ステップＳ１３６で「ＹＥＳ」）、チャネル割当部１０２ａは、当該チャネル配置情報に含まれるチャネル番号により識別されるチャネルを、当該携帯通信端末に割り当てる。また、チャネル割当部１０２ａは、当該チャネル配置情報において、端末数に「１」を加算し、調整可端末数に「１」を加算する。さらに、端末ＩＤに当該携帯通信端末を識別する端末ＩＤを付加する。次に、チャネル配置テーブル１４０において、当該チャネル配置情報を上書きする（ステップＳ１３７）。次に、チャネル割当部１０２ａによるチャネルの割当ての処理を終了する。
【０１３５】
該当するチャネル配置情報が存在しない場合（ステップＳ１３６で「ＮＯ」）、チャネル割当部１０２ａは、空きのあるチャネルから、調整可端末数が「０」でなく、調整不可端末数が「０」でないチャネルを探す。具体的には、チャネル割当部１０２ａは、チャネル配置テーブル１４０において、「１」以上、「４」未満の端末数を含むチャネル配置情報から、「０」でない調整可端末数及び「０」でない調整不可端末数を含むチャネル配置情報を検索する（ステップＳ１３８）。
【０１３６】
該当するチャネル配置情報が存在する場合（ステップＳ１３９で「ＹＥＳ」）、チャネル割当部１０２ａは、当該チャネル配置情報に含まれるチャネル番号により識別されるチャネルを、当該携帯通信端末に割り当てる。チャネル割当部１０２ａは、当該チャネル配置情報において、端末数に「１」を加算し、調整可端末数に「１」を加算する。さらに、端末ＩＤとして当該携帯通信端末を識別する端末ＩＤを付加する。次に、チャネル配置テーブル１４０において、当該チャネル配置情報を上書きする（ステップＳ１４０）。次に、チャネル割当部１０２ａによるチャネルの割当ての処理を終了する。
【０１３７】
該当するチャネル配置情報が存在しない場合（ステップＳ１３９で「ＮＯ」）、チャネル割当部１０２ａは、チャネルの割当ての失敗を示すメッセージを生成する（ステップＳ１４１）。次に、チャネル割当部１０２ａによるチャネルの割当ての処理を終了する。
調整可否フラグが「ＯＦＦ」であると判断する場合（ステップＳ１３１で「ＯＦＦ」）、チャネル割当部１０２ａは、空きのあるチャネルから、調整可端末数が「０」であり、調整不可端末数が「０」でないチャネルを探す。具体的には、チャネル割当部１０２ａは、チャネル配置テーブル１４０において、「１」以上、「４」未満の端末数を含むチャネル配置情報から、「０」である調整可端末数及び「０」でない調整不可端末数を含むチャネル配置情報を検索する（ステップＳ１５１）。
【０１３８】
該当するチャネル配置情報が存在する場合（ステップＳ１５２で「ＹＥＳ」）、チャネル割当部１０２ａは、当該チャネル配置情報に含まれるチャネル番号により識別されるチャネルを、当該携帯通信端末に割り当てる。また、チャネル割当部１０２ａは、当該チャネル配置情報において、端末数に「１」を加算し、調整不可端末数に「１」を加算する。さらに、端末ＩＤとして当該携帯通信端末を識別する端末ＩＤを付加する。次に、チャネル配置テーブル１４０において、当該チャネル配置情報を上書きする（ステップＳ１５３）。次に、チャネル割当部１０２ａによるチャネルの割当ての処理を終了する。
【０１３９】
該当するチャネル配置情報が存在しない場合（ステップＳ１５２で「ＮＯ」）、チャネル割当部１０２ａは、調整可端末数が「０」であり、調整不可端末数が「０」であるチャネルを探す。言い換えると、携帯通信端末が割り当てられていないチャネルを探す。具体的には、チャネル割当部１０２ａは、チャネル配置テーブル１４０において、「０」である調整可端末数及び「０」である調整不可端末数を含むチャネル配置情報を検索する（ステップＳ１５４）。
【０１４０】
該当するチャネル配置情報が存在する場合（ステップＳ１５５で「ＹＥＳ」）、チャネル割当部１０２ａは、当該チャネル配置情報に含まれるチャネル番号により識別されるチャネルを、当該携帯通信端末に割り当てる。また、チャネル割当部１０２ａは、当該チャネル配置情報において、端末数に「１」を加算し、調整不可端末数に「１」を加算する。さらに、端末ＩＤとして当該携帯通信端末を識別する端末ＩＤを付加する。次に、チャネル配置テーブル１４０において、当該チャネル配置情報を上書きする（ステップＳ１５６）。次に、チャネル割当部１０２ａによるチャネルの割当ての処理を終了する。
【０１４１】
該当するチャネル配置情報が存在しない場合（ステップＳ１５５で「ＮＯ」）、チャネル割当部１０２ａは、空きのあるチャネルから、調整可端末数が「０」でなく、調整不可端末数が「０」でないチャネルを探す。具体的には、チャネル割当部１０２ａは、チャネル配置テーブル１４０において、「１」以上、「４」未満の端末数を含むチャネル配置情報から、「０」でない調整可端末数及び「０」でない調整不可端末数を含むチャネル配置情報を検索する（ステップＳ１５７）。
【０１４２】
該当するチャネル配置情報が存在する場合（ステップＳ１５８で「ＹＥＳ」）、チャネル割当部１０２ａは、当該チャネル配置情報に含まれるチャネル番号により識別されるチャネルを、当該携帯通信端末に割り当てる。また、チャネル割当部１０２ａは、当該チャネル配置情報において、端末数に「１」を加算し、調整不可端末数に「１」を加算する。さらに、端末ＩＤとして当該携帯通信端末を識別する端末ＩＤを付加する。次に、チャネル配置テーブル１４０において、当該チャネル配置情報を上書きする（ステップＳ１５９）。次に、チャネル割当部１０２ａによるチャネルの割当ての処理を終了する。
【０１４３】
次に、該当するチャネル配置情報が存在しない場合（ステップＳ１５８で「ＮＯ」）、チャネル割当部１０２ａは、チャネルの割当ての失敗を示すメッセージを生成する（ステップＳ１６０）。次に、チャネル割当部１０２ａによるチャネルの割当ての処理を終了する。
（３）携帯通信端末２００ａと無線基地局１００との間における割り当てられたチャネルを介する通信
携帯通信端末２００ａと無線基地局１００との間における割り当てられたチャネルを介する通信の動作について、図１５に示すシーケンス図を用いて説明する。なお、ここで説明する動作は、図１２のステップＳ１０６の詳細である。
【０１４４】
携帯通信端末２００ａと無線基地局１００との間で、ＭＩＭＯによる通信を開始する（ステップＳ１７１）。
携帯通信端末２００ａの相関計算部２１１は、複数のアンテナ２１０ａ、２１０ｂにより受信した信号間の相関を示す相関値を計算し、得られた相関値を制御部２０２に対して出力する（ステップＳ１７２）。
【０１４５】
制御部２０２は、相関値を受け取り、比較部２０２ｎは、受け取った相関値が閾値より大きいか否かを判断する（ステップＳ１７３）。受け取った相関値が閾値より大きいと判断する場合（ステップＳ１７３で「＞」）、生成部２０２ｏは、調整予告情報を生成する。制御部２０２は、生成された調整予告情報を、送信回路２０４、送受信切替回路２０８ａ、調整回路２０９ａ及びアンテナ２１０ａを介して、無線基地局１００に対して送信する（ステップＳ１７５）。
【０１４６】
制御部１０２は、アンテナ１０９ａ、調整回路１０８ａ、送受信切替回路１０７ａ、無線部１０６ａ及び処理部１０５を介して、調整予告情報を受信する（ステップＳ１７５）。
調整予告情報を受信すると（ステップＳ１７６で「有り」）、判断部１０２ｂは、調整予告情報の送信元の携帯通信端末に割り当てられたチャネルに、他の携帯通信端末が割り当てられているか否かを判断する（ステップＳ１７７）。
【０１４７】
他の携帯通信端末が割り当てられていない場合（ステップＳ１７７で「無し」）、制御部１０２は、何もしない。次に、制御は、ステップＳ１８４へ移る。
他の携帯通信端末が割り当てられている場合（ステップＳ１７７で「有り」）、制御部１０２の生成部１０２ｃは、調整の中止を指示する調整中止情報を生成する（ステップＳ１７８）。次に、制御部１０２は、生成された調整中止情報を、送信回路１０３、送受信切替回路１０７ａ、調整回路１０８ａ及びアンテナ１０９ａを介して、携帯通信端末２００ａへ送信する（ステップＳ１７９）。
【０１４８】
制御部２０２は、アンテナ２１０ａ、調整回路２０９ａ、送受信切替回路２０８ａ、無線部２０７ａ、処理部２０６を介して、調整中止情報を受信する（ステップＳ１７９）。
調整中止情報を受信した場合（ステップＳ１８０で「有り」）、抑止制御部２０２ｐは、アンテナの調整を抑止する（ステップＳ１８１ｂ）。次に、ステップＳ１８２に制御を移す。
【０１４９】
調整中止情報を受信しない場合（ステップＳ１８０で「無し」）、調整制御部２０２ｑは、調整回路２０９ａ及び２０９ｂに対して、アンテナの経路のインピーダンスを変更するように制御する。調整回路１０８ａ及び調整回路１０８ｂは、調整制御部２０２ｑの制御により、それぞれ、対応するアンテナの経路のインピーダンスを変化させる（ステップＳ１８１ａ）。
【０１５０】
次に、制御部２０２は、ＭＩＭＯによる通信が終了しているか否かを判断する（ステップＳ１８２）。ＭＩＭＯによる通信が終了していない場合（ステップＳ１８２で「ＮＯ」）、所定時間の経過を待つ。ここで、所定時間は、一例として、１秒である。なお、所定時間は、０．５秒、２秒、３秒などであるとしてもよい（ステップＳ１８３）。次に、ステップＳ１７２に戻って、処理を繰り返す。
【０１５１】
ＭＩＭＯによる通信が終了している場合（ステップＳ１８２で「ＹＥＳ」）、制御部２０２は、処理を終了する。
制御部１０２は、ＭＩＭＯによる通信が終了しているか否かを判断する（ステップＳ１８４）。ＭＩＭＯによる通信が終了していない場合（ステップＳ１８４で「ＮＯ」）、所定時間の経過を待つ。ここで、所定時間は、一例として、１秒である。なお、所定時間は、０．５秒、２秒、３秒などであるとしてもよい（ステップＳ１８５）。次に、ステップＳ１７６に戻って、処理を繰り返す。
【０１５２】
ＭＩＭＯによる通信が終了している場合（ステップＳ１８４で「ＹＥＳ」）、制御部１０２は、処理を終了する。
比較部２０２ｎにより、受け取った相関値が閾値より小さいか又は等しいと判断する場合（ステップＳ１７３で「≦」）、制御は、ステップＳ１８２へ移る。
（４）相関値の算出の動作
相関計算部２１１により、ＳＴＳ１の信号ＳとＳＴＳ２の信号Ｒとの間の相関を示す相関値を算出する動作について、図１６に示すフローチャートを用いて説明する。なお、ここで説明する動作は、図１５に示すステップＳ１７２の詳細である。相関値の算出が終了すると、図１５に示す動作に復帰し、ステップＳ１７３に制御が移る。
【０１５３】
相関計算部２１１は、変数Ａ、変数Ｂ及び変数Ｃを初期化する。変数Ａ＝（０、０）、変数Ｂ＝０、変数Ｃ＝０。ここで、変数Ａは、複素数である。また、変数Ｂ及び変数Ｃは、実数である（ステップＳ２０１）。
次に、相関計算部２１１は、全てのアンテナの各々について、以下のステップＳ２０３〜Ｓ２０５を繰り返す（ステップＳ２０２〜Ｓ２０６）。
【０１５４】
相関計算部２１１は、当該アンテナにより受信した信号Ｓ及び信号Ｒを取得する（ステップＳ２０３）。
相関計算部２１１は、Ｄ＝Ｓ・conj（Ｒ）を算出する。ここで、conj（Ｘ）は、複素数Ｘの共役複素数である。また、変数Ｄは、複素数である。次に、相関計算部２１１は、Ａ＝Ａ＋Ｄを算出する（ステップＳ２０４）。
【０１５５】
相関計算部２１１は、Ｂ＝Ｂ＋Ｒｅ［Ｓ］・Ｒｅ［Ｓ］＋Ｉｍ［Ｓ］・Ｉｍ［Ｓ］を算出する。ここで、Ｒｅ［Ｘ］は、Ｘの実数部である。また、Ｉｍ［Ｘ］は、Ｘの虚数部である。次に、相関計算部２１１は、Ｃ＝Ｃ＋Ｒｅ［conj（Ｒ）］・Ｒｅ［conj（Ｒ）］＋Ｉｍ［conj（Ｒ）］・Ｉｍ［conj（Ｒ）］を算出する（ステップＳ２０５）。
ステップＳ２０３〜Ｓ２０５における繰り返しが終了すると、相関計算部２１１は、Ｅ＝Ｒｅ［Ａ］・Ｒｅ［Ａ］＋Ｉｍ［Ａ］・Ｉｍ［Ａ］を算出する。ここで、Ｅは、実数である。次に、相関計算部２１１は、相関値＝ｓｑｒｔ（Ｅ）／（ｓｑｒｔ（Ｂ）・ｓｑｒｔ（Ｃ））を算出する。ここで、ｓｑｒｔ（Ｘ）は、Ｘの平方根である（ステップＳ２０７）。
【０１５６】
次に、相関計算部２１１は、算出した相関値を制御部２０２に対して出力する（ステップＳ２０８）。
これで、相関計算部２１１による相関値の算出処理を終了する。
（５）チャネルの再配置（その１）の動作
制御部１０２のチャネル割当部１０２ａにより、チャネルの再配置を試みる動作について、図１７に示すフローチャートを用いて説明する。ここでは、異なるチャネルに割り当てられた複数の調整不可端末を同一のチャネルに統合する。なお、ここで説明する動作は、図１２のステップＳ１０７の詳細である。チャネルの再配置（その１）の処理が終了すると、図１２に示す動作に復帰し、ステップＳ１０８に制御が移る。
【０１５７】
チャネル割当部１０２ａは、空きのあるチャネルから、調整可端末数が「０」であり、調整不可端末数が最大であるチャネル（このチャネルを第１チャネルと呼ぶ。）を探す。具体的には、チャネル割当部１０２ａは、チャネル配置テーブル１４０において、「１」以上、「４」未満の端末数を含むチャネル配置情報から、「０」である調整可端末数及び最大の調整不可端末数を含むチャネル配置情報を検索する（ステップＳ２３１）。
【０１５８】
該当するチャネル配置情報が存在しない場合（ステップＳ２３２で「ＮＯ」）、チャネル割当部１０２ａは、チャネルの再配置の処理を終了する。
該当するチャネル配置情報が存在する場合（ステップＳ２３２で「ＹＥＳ」）、チャネル割当部１０２ａは、調整不可端末数が「０」でないチャネル（このチャネルを第２チャネルと呼ぶ。第２チャネルは、第１チャネルとは、異なるチャネルである。）を探す。具体的には、チャネル割当部１０２ａは、チャネル配置テーブル１４０のチャネル配置情報から、「０」でない調整不可端末数を含むチャネル配置情報（このチャネル配置情報は、第１チャネルとは、異なるチャネル番号を含む）を検索する（ステップＳ２３３）。
【０１５９】
該当するチャネル配置情報が存在しない場合（ステップＳ２３４で「ＮＯ」）、チャネル割当部１０２ａは、チャネルの再配置の処理を終了する。
該当するチャネル配置情報が存在する場合（ステップＳ２３４で「ＹＥＳ」）、チャネル割当部１０２ａは、第２チャネルに割り当てられた一台の調整不可端末を、第１チャネルに移動させる。つまり、チャネル割当部１０２ａは、第２チャネルのチャネル配置情報において、端末数から「１」を減じ、調整不可端末数から「１」を減じる。さらに、端末ＩＤから、当該調整不可端末を識別する端末ＩＤを削除する。次に、チャネル配置テーブル１４０において、第２チャネルのチャネル配置情報を上書きする。次に、チャネル割当部１０２ａは、第１チャネルのチャネル配置情報において、端末数に「１」を加算し、調整不可端末数に「１」を加算する。さらに、端末ＩＤとして、当該調整不可端末を識別する端末ＩＤを付加する。次に、チャネル配置テーブル１４０において、第１チャネルのチャネル配置情報を上書きする（ステップＳ２３５）。次に、ステップＳ２３１へ戻って処理を繰り返す。
【０１６０】
（６）チャネルの再配置（その２）の動作
制御部１０２のチャネル割当部１０２ａにより、チャネルの再配置を試みる動作について、図１８に示すフローチャートを用いて説明する。ここでは、同一のチャネルに割り当てられた複数の調整可端末を異なるチャネルに分離する。なお、ここで説明する動作は、図１２のステップＳ１０８の詳細である。チャネルの再配置の処理（その２）が終了すると、図１２に示す動作に復帰し、ステップＳ１０９に制御が移る。
【０１６１】
チャネル割当部１０２ａは、調整可端末数が「２」以上であり、調整不可端末数が「０」であるチャネル（このチャネルを第１チャネルと呼ぶ。）を探す。具体的には、チャネル割当部１０２ａは、チャネル配置テーブル１４０のチャネル配置情報から、「２」以上である調整可端末数及び「０」である調整不可端末数を含むチャネル配置情報を検索する（ステップＳ２５１）。
【０１６２】
該当するチャネル配置情報が存在しない場合（ステップＳ２５２で「ＮＯ」）、チャネル割当部１０２ａは、チャネルの再配置の処理を終了する。
該当するチャネル配置情報が存在する場合（ステップＳ２５２で「ＹＥＳ」）、チャネル割当部１０２ａは、端末数が「０」であるチャネル（このチャネルを第２チャネルと呼ぶ。第２チャネルは、第１チャネルとは、異なるチャネルである。）を探す。具体的には、チャネル割当部１０２ａは、チャネル配置テーブル１４０のチャネル配置情報から、「０」である端末数を含むチャネル配置情報（このチャネル配置情報は、第１チャネルとは、異なるチャネル番号を含む。）を検索する（ステップＳ２５３）。
【０１６３】
該当するチャネル配置情報が存在しない場合（ステップＳ２５４で「ＮＯ」）、チャネル割当部１０２ａは、チャネルの再配置の処理を終了する。
該当するチャネル配置情報が存在する場合（ステップＳ２５４で「ＹＥＳ」）、チャネル割当部１０２ａは、第１チャネルに割り当てられた一台の調整可端末を、第２チャネルに移動させる。つまり、チャネル割当部１０２ａは、第１チャネルのチャネル配置情報において、端末数から「１」を減じ、調整可端末数から「１」を減じる。さらに、端末ＩＤから、当該調整可端末を識別する端末ＩＤを削除する。次に、チャネル配置テーブル１４０において、第１チャネルのチャネル配置情報を上書きする。次に、チャネル割当部１０２ａは、第２チャネルのチャネル配置情報において、端末数に「１」を加算し、調整可端末数に「１」を加算する。さらに、端末ＩＤに、当該調整可端末を識別する端末ＩＤを付加する。次に、チャネル配置テーブル１４０において、第２チャネルのチャネル配置情報を上書きする（ステップＳ２５５）。次に、ステップＳ２５１へ戻って処理を繰り返す。
【０１６４】
１．６  まとめ
以上説明したように、無線通信システム１０によると、受信性能が劣化し、各アンテナの経路のインピーダンスを調整しようとする携帯通信端末と同一チャネルに割り当てられた他の携帯通信端末が存在する場合に、当該携帯通信端末の各アンテナの経路のインピーダンスの変更を抑止する。これにより、上りリンク側の伝播路の特性を変化させないようにできる。この結果、上りリンク側の通信品質の劣化を防止することができる。
【０１６５】
２．その他の変形例
なお、本発明を上記の実施の形態に基づいて説明してきたが、本発明は、上記の実施の形態に限定されないのはもちろんである。以下のような場合も本発明に含まれる。
（１）変形例（１）
図１５のステップＳ１７７〜１７８に示すように、同じチャネルに他の携帯通信端末が割り当てられていない場合に、制御部１０２は、何もしない。しかし、本発明は、これには、限定されない。
【０１６６】
本発明は、同じチャネルに他の携帯通信端末が割り当てられていない場合に、調整予告情報の送信元の携帯通信端末に、各アンテナの経路のインピーダンスを調整をさせるものであってもよい。
例えば、生成部１０２ｃは、以下に示すように、同じチャネルに他の携帯通信端末が割り当てられていない場合に、調整の許可を指示する調整許可情報を生成し、制御部１０２は、調整許可情報を送信してもよい。
【０１６７】
この場合の動作について、図１９に示すフローチャートを用いて説明する。なお、図１９では、図１５に示すフローチャートとの相違点を中心として記載している。以下において、その相違点について説明する。
他の携帯通信端末が割り当てられていない場合（ステップＳ１７７で「無し」）、制御部１０２の生成部ｃは、調整許可情報を生成する（ステップＳ１７８ｂ）
他の携帯通信端末が割り当てられている場合（ステップＳ１７７で「有り」）、制御部１０２の生成部１０２ｃは、調整中止情報を生成する（ステップＳ１７８ａ）。
【０１６８】
次に、制御部１０２は、生成された調整中止情報又は調整許可情報を、送信回路１０３、送受信切替回路１０７ａ、調整回路１０８ａ及びアンテナ１０９ａを介して、携帯通信端末２００ａへ送信する（ステップＳ１７９ａ）。
制御部２０２は、アンテナ２１０ａ、調整回路２０９ａ、送受信切替回路２０８ａ、無線部２０７ａ、処理部２０６を介して、調整中止情報又は調整許可情報を受信する（ステップＳ１７９ａ）。
【０１６９】
調整中止情報を受信した場合（ステップＳ１８０ａで「調整中止情報」）、抑止制御部２０２ｐは、アンテナの調整を抑止する（ステップＳ１８１ｂ）。次に、ステップＳ１８２に制御を移す。
調整許可情報を受信した場合（ステップＳ１８０ａで「調整許可情報」）、調整制御部２０２ｑは、調整回路２０９ａ及び２０９ｂに対して、アンテナの経路のインピーダンスを変更するように制御する。調整回路１０８ａ及び調整回路１０８ｂは、調整制御部２０２ｑの制御により、それぞれ、対応するアンテナの経路のインピーダンスを変化させる（ステップＳ１８１ａ）。次に、ステップＳ１８２に制御を移す。
【０１７０】
（２）変形例（２）
図１５のステップＳ１７７〜１７８に示すように、同じチャネルに他の携帯通信端末が割り当てられている場合に、制御部１０２の生成部１０２ｃは、調整の中止を指示する調整中止情報を生成する。一方、同じチャネルに他の携帯通信端末が割り当てられていない場合に、制御部１０２は、何もしない。しかし、本発明は、これには、限定されない。
【０１７１】
本発明は、無線基地局からの通知により、同じチャネルに他の携帯通信端末が割り当てられているか否かを、受信品質の劣化を検出した携帯通信端末が知り、その通知を用いて、当該携帯通信端末が各アンテナの経路のインピーダンスを調整をするか否かを判断するものであってもよい。
例えば、生成部１０２ｃは、以下に示すように、同じチャネルに他の携帯通信端末が割り当てられている場合に、他の携帯通信端末が存在することを示す通知を生成してもよい。また、生成部１０２ｃは、同じチャネルに他の携帯通信端末が割り当てられていない場合に、他の携帯通信端末が存在しないことを示す通知を生成してもよい。制御部１０２は、これらを携帯通信端末に通知する。
【０１７２】
この場合の動作について、図２０に示すフローチャートを用いて説明する。なお、図２０では、図１５に示すフローチャートとの相違点を中心として記載している。以下において、その相違点について説明する。
他の携帯通信端末が割り当てられていない場合（ステップＳ１７７で「無し」）、生成部ｃは、他の携帯通信端末が存在しないことを示す通知を生成する（ステップＳ１７８ｄ）。
【０１７３】
他の携帯通信端末が割り当てられている場合（ステップＳ１７７で「有り」）、生成部１０２ｃは、他の携帯通信端末が存在することを示す通知を生成する（ステップＳ１７８ｃ）。
次に、制御部１０２は、生成された通知を、送信回路１０３、送受信切替回路１０７ａ、調整回路１０８ａ及びアンテナ１０９ａを介して、携帯通信端末２００ａへ送信する（ステップＳ１７９ｂ）。
【０１７４】
制御部２０２は、アンテナ２１０ａ、調整回路２０９ａ、送受信切替回路２０８ａ、無線部２０７ａ、処理部２０６を介して、通知を受信する（ステップＳ１７９ｂ）。
制御部２０２は、受信した通知が、他の携帯通信端末が存在することを示すか、否かを判断する（ステップＳ１８０ｂ）。受信した通知が他の携帯通信端末が存在することを示す場合（ステップＳ１８０ｂで「有りを示す」）、抑止制御部２０２ｐは、アンテナの調整を抑止する（ステップＳ１８１ｂ）。次に、ステップＳ１８２に制御を移す。
【０１７５】
受信した通知が他の携帯通信端末が存在しないことを示す場合（ステップＳ１８０ｂで「無しを示す」）、調整制御部２０２ｑは、調整回路２０９ａ及び２０９ｂに対して、アンテナの経路のインピーダンスを変更するように制御する。調整回路２０９ａ及び調整回路２０９ｂは、調整制御部２０２ｑの制御により、それぞれ、対応するアンテナの経路のインピーダンスを変化させる（ステップＳ１８１ａ）。次に、ステップＳ１８２に制御を移す。
【０１７６】
（３）変形例（３）
上記の実施の形態、変形例（１）及び変形例（２）においては、携帯通信端末２００ａから調整予告情報を受け取った場合に、無線基地局１００は、調整の中止を指示する調整中止情報、調整の許可を指示する調整許可情報、チャネルに他の携帯通信端末が存在することを示す通知、及び、他の携帯通信端末が存在しないことを示す通知を携帯通信端末に送信している。しかし、本発明は、これらには、限定されない。
【０１７７】
本発明は、携帯通信端末が各アンテナの経路のインピーダンスの調整をするか否かに関係なく、無線基地局は、前記携帯通信端末に対して、当該携帯通信端末が割り当てられたチャネルと同一のチャネルに他の携帯通信端末が割り当てられているか否かを通知するものであってもよい。
例えば、携帯通信端末２００ａと無線基地局１００との間において、チャネルが割り当てられ、通信が確立したときに、携帯通信端末２００ａに割り当てられたチャネルと同一のチャネルに割り当てられている他の携帯通信端末が存在するか否かを示す通知を、無線基地局１００が携帯通信端末２００ａに送信してもよい。携帯通信端末２００ａは、この通知を受信し、この通知を記憶する。
【０１７８】
また、携帯通信端末２００ａと無線基地局１００との間における通信中に、当該チャネルにおける携帯通信端末の割り当てに変更があった場合に、当該チャネルに他の携帯通信端末が存在するか否かを示す通知を、無線基地局１００が携帯通信端末２００ａに送信してもよい。携帯通信端末２００ａは、この通知を受信し、この通知を記憶する。
上記の場合において、判断部２０２ｍは、受信品質が劣化していると判断するとき、さらに、記憶している前記通知を用いて、同じチャネルに他の携帯通信端末が存在するか否かを判断する。抑止制御部２０２ｐは、判断部２０２ｍにより、受信品質が劣化していると判断され、同じチャネルに他の携帯通信端末が存在すると判断されるときに、各アンテナの経路のインピーダンスの変更を抑止する。また、調整制御部２０２ｑは、判断部２０２ｍにより、受信品質が劣化していると判断され、同じチャネルに他の携帯通信端末が存在しないと判断されるときに、各アンテナの経路のインピーダンスを変更する。
【０１７９】
（４）携帯通信端末及び無線基地局は、それぞれ、コンピュータプログラムを記憶しているメモリと、マイクロプロセッサとを含むとしてもよい。ここで、コンピュータプログラムは、所定の機能を達成するために、コンピュータに対する指令を示す命令コードが複数個組み合わされて構成されたものである。前記マイクロプロセッサは、前記コンピュータプログラムに従って動作する。
【０１８０】
また、前記コンピュータプログラムは、コンピュータ読み取り可能な記録媒体に記憶されているとしてもよい。コンピュータ読み取り可能な記録媒体は、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどである。
前記コンピュータプログラムは、電気通信回線、無線又は有線通信回線、インターネットを代表とするネットワーク、データ放送等を経由して伝送されるとしてもよい。
【０１８１】
（５）上記実施の形態及び上記変形例をそれぞれ組み合わせるとしてもよい。
（６）以上説明したように、本発明の一態様は、複数のアンテナを備える無線基地局との間で、複数のアンテナを用いて通信を行う携帯通信端末であって、前記複数のアンテナにより受信した信号間の相関を示す相関値により受信品質の劣化を判断する判断部と、前記無線基地局から、当該携帯通信端末が割り当てられたチャネルと同一のチャネルに割り当てられた他の携帯通信端末の存在の有無を示す通知を受信する受信部と、受信品質が劣化していると判断され、前記通知が他の携帯通信端末が存在することを示す場合に、各アンテナ経路のインピーダンスの変更を抑止する抑止制御部と、受信品質が劣化していると判断され、前記通知が他の携帯通信端末が存在しないことを示す場合に、各アンテナ経路のインピーダンスを変更する調整部とを備えることを特徴とする。
【０１８２】
この態様によると、通信品質の劣化を軽減することができる。
ここで、前記携帯通信端末は、さらに、受信品質が劣化している場合、各アンテナ経路のインピーダンスの変更を予告する予告情報を生成する生成部と、生成した前記予告情報を送信する送信部とを含み、前記無線基地局は、前記予告情報を受信すると、前記予告情報の送信元の携帯通信端末と同一チャネルにおいて通信している他の携帯通信端末が存在するか否かを判断し、他の携帯通信端末の存在の有無を示す前記通知を送信するとしてもよい。
【０１８３】
この態様によると、携帯通信端末は、受信品質が劣化している場合に、予告情報を送信し、無線基地局は、予告情報を受信すると、前記通知を送信する。このため、携帯通信端末は、無線基地局から前記通知を受信するタイミングを制御することができる。
ここで、前記携帯通信端末は、さらに、前記複数のアンテナにより受信した信号間の相関を示す前記相関値を計算する計算部を備え、前記判断部は、計算により得られた前記相関値と閾値とを比較する比較部を含み、前記相関値が前記閾値より大きい場合、受信品質が劣化していると判断するとしてもよい。
【０１８４】
この態様によると、相関値と閾値とを対比して、受信品質の劣化を判断することができる。
本発明の別の態様は、複数のアンテナを備える携帯通信端末との間で複数のアンテナを用いて通信を行う無線基地局であって、携帯通信端末から、各アンテナ経路のインピーダンスの変更を予告する予告情報を受信する受信部と、前記予告情報を受信すると、当該携帯通信端末が割り当てられたチャネルと同一チャネルに割り当てられた他の携帯通信端末が存在するか否かを判断する判断部と、他の携帯通信端末が存在する場合、他の携帯通信端末の存在を示す通知を、前記予告情報の送信元の携帯通信端末に対して送信する送信部とを備えることを特徴とする。
【０１８５】
この態様によると、無線基地局は、予告情報を受信したとき、前記通知を送信するので、通知の送信時点を携帯通信端末側のタイミングに合わせることができる。
本発明の別の態様は、複数のアンテナを備える無線基地局との間で、複数のアンテナを用いて通信を行う携帯通信端末で用いられる制御方法であって、前記複数のアンテナにより受信した信号間の相関を示す相関値により受信品質の劣化を判断する判断ステップと、前記無線基地局から、当該携帯通信端末が割り当てられたチャネルと同一のチャネルに割り当てられた他の携帯通信端末の存在の有無を示す通知を受信する受信ステップと、受信品質が劣化していると判断され、前記通知が他の携帯通信端末が存在することを示す場合に、各アンテナ経路のインピーダンスの変更を抑止する抑止制御ステップと、受信品質が劣化していると判断され、前記通知が他の携帯通信端末が存在しないことを示す場合に、各アンテナ経路のインピーダンスを変更する調整ステップとを含むことを特徴とする。
【０１８６】
この態様によると、通信品質の劣化を軽減することができる。
本発明の別の態様は、複数のアンテナを備える携帯通信端末との間で複数のアンテナを用いて通信を行う無線基地局で用いられる制御方法であって、携帯通信端末から、各アンテナ経路のインピーダンスの変更を予告する予告情報を受信する受信ステップと、前記予告情報を受信すると、当該携帯通信端末が割り当てられたチャネルと同一チャネルに割り当てられた他の携帯通信端末が存在するか否かを判断する判断ステップと、他の携帯通信端末が存在する場合、他の携帯通信端末の存在を示す通知を送信する送信ステップとを含むことを特徴とする。
【０１８７】
この態様によると、無線基地局は、予告情報を受信したとき、前記通知を送信するので、通知の送信時点を携帯通信端末側のタイミングに合わせることができる。
【産業上の利用可能性】
【０１８８】
本発明にかかる携帯通信端末及び無線基地局は、当該携帯通信端末と同一チャネルに割り当てられた他の携帯通信端末が存在する場合に、各アンテナの経路のインピーダンスの変更を抑止するので、上りリンク側の伝播路の特性を変化させないようにできる。この結果、通信品質の劣化を軽減することができる。このため、複数のアンテナを用いて通信を行う技術として有用である。
【符号の説明】
【０１８９】
１０    無線通信システム
１００    無線基地局
１０１    記憶部
１０２    制御部
１０２ａ  チャネル割当部
１０２ｂ  判断部
１０２ｃ  生成部
１０２ｄ  調整制御部
１０３    送信回路
１０４    受信回路
１０５    処理部
１０６ａ〜１０６ｄ  無線部
１０７ａ〜１０７ｄ  送受信切替回路
１０８ａ〜１０８ｄ  調整回路
１０９ａ〜１０９ｄ  アンテナ
１１０    相関計算部
２００ａ〜２００ｃ  携帯通信端末
２０１、２０１ｃ  記憶部
２０２、２０２ｃ  制御部
２０２ｍ  判断部
２０２ｎ  比較部
２０２ｏ  生成部
２０２ｐ  抑止制御部
２０２ｑ  調整制御部
２０３、２０３ｃ  加速度センサ
２０４、２０４ｃ  送信回路
２０５、２０５ｃ  受信回路
２０６、２０６ｃ  処理部
２０７ａ〜２０７ｄ  無線部
２０８ａ〜２０８ｄ  送受信切替回路
２０９ａ〜２０９ｂ  調整回路
２１０ａ〜２１０ｄ  アンテナ
２１１    相関計算部
【図１】
2014160895.tif 000003
【図２】
2014160895.tif 000004
【図３】
2014160895.tif 000005
【図４】
2014160895.tif 000006
【図５】
2014160895.tif 000007
【図６】
2014160895.tif 000008
【図７】
2014160895.tif 000009
【図８】
2014160895.tif 000010
【図９】
2014160895.tif 000011
【図１０】
2014160895.tif 000012
【図１１】
2014160895.tif 000013
【図１２】
2014160895.tif 000014
【図１３】
2014160895.tif 000015
【図１４】
2014160895.tif 000016
【図１５】
2014160895.tif 000017
【図１６】
2014160895.tif 000018
【図１７】
2014160895.tif 000019
【図１８】
2014160895.tif 000020
【図１９】
2014160895.tif 000021
【図２０】
2014160895.tif 000022